(57)【特許請求の範囲】
【請求項１】
電磁波の内の可視光帯の第１の波長領域の成分を検知する第１の検知部と、少なくとも前記第１の波長領域の成分よりも長波長側の赤外光帯の第２の波長領域の成分を検知する第２の検知部とが、所定の順に同一の半導体基板上に配されており、前記半導体基板の表面からの深さ方向において、前記第２の検知部の第１導電型のドーパントが形成されている有効領域が、前記第１の検知部の前記第１導電型のドーパントが形成されている有効領域よりも深いところまで達している固体撮像装置と、
前記第１の波長領域の３つの色成分を透過する第１、第２及び第３の色フィルタを通して前記第１の検知部で取得される信号に対して、前記第１、第２及び第３の色フィルタを通して得られる信号よりも高感度の信号を得る第４のフィルタを通して前記第２の検知部で取得される信号を使って補正を加える補正処理部と、
を備え、
前記第２の検知部は、前記第１の波長領域から前記第２の波長領域までを検知し、
前記補正処理部は、
前記第１、第２及び第３の色フィルタを通して前記第１の検知部で検知された各波長の信号成分に基づいて取得される測光量を示す信号と、前記第４のフィルタを通して前記第２の検知部で検知される可視光帯の前記３つの色成分の信号との比を掛けることで感度補正演算を実行する高感度化補正処理部と、
前記第１の検知部で取得される可視光帯のカラー画像信号に含まれる赤外光帯の信号成分を、前記第２の検知部で取得される赤外光帯の信号成分を使って抑制する赤外光抑制補正処理部と、を有する、
撮像装置。
【請求項２】
前記固体撮像装置は、前記半導体基板の表面からの深さ方向における前記第１または第２の検知部の第１導電型のドーパントが形成されている有効領域において、前記ドーパントの濃度が、前記半導体基板の表面側から深くなるほど低濃度となる変調ドーピングが施されている
請求項１に記載の撮像装置。
【請求項３】
前記固体撮像装置は、前記電磁波の内の第１の波長領域の成分を検知する第１の検知部と、少なくとも前記第１の波長領域の成分よりも長波長側の第２の波長領域の成分を検知する第２の検知部とを備え、少なくとも前記第２の検知部に関して、前記変調ドーピングが施されている
請求項２に記載の撮像装置。
【発明の詳細な説明】
【技術分野】
【０００１】
本発明は、撮像装置に関する。
【背景技術】
【０００２】
光や放射線などの外部から入力される電磁波などの物理量変化に対して感応性をする単位構成要素（たとえば画素）をライン状もしくはマトリクス状に複数個配列してなる物理量分布検知半導体装置が様々な分野で使われている。
【０００３】
たとえば、映像機器の分野では、物理量の一例である光（電磁波の一例）の変化を検知するＣＣＤ（Charge Coupled Device ）型あるいはＭＯＳ（Metal Oxide Semiconductor ）やＣＭＯＳ（Complementary Metal-oxide Semiconductor ）型の固体撮像装置が使われている。これらは、単位構成要素（固体撮像装置にあっては画素）によって電気信号に変換された物理量分布を電気信号として読み出す。
【０００４】
たとえば、固体撮像装置は、デバイス部の撮像部（画素部）に設けられている光電変換素子（受光素子；フォトセンサ）であるフォトダイオードにて、光や放射線などの外部から入力される電磁波を検知して信号電荷を生成・蓄積し、この蓄積された信号電荷（光電子）を、画像情報として読み出す。
【０００５】
ここで、カラー画像を取得する構成とする場合には、特定の波長成分のみを透過するような色フィルタを画素ごとに配置して、複数個の画素の組によって必要な色成分を復元することで色を識別するイメージセンサとするのが現在の主流となっている。
【０００６】
具体的には、色フィルタの組として、たとえば、色の３原色である赤（Ｒ）、緑（Ｇ）、青（Ｂ）の減色フィルタを用いた色配列によって色を識別し、それぞれの色フィルタの下に光を検出する半導体層を設けることで、フィルタを透過した３原色光をそれぞれ別に検出する。また、輝度信号取得用としての白（Ｙ）と、赤（Ｒ）、緑（Ｇ）、青（Ｂ）を組み合わせた配列を用いることも考えられる。これらは、いずれもベイヤ（Ｂａｙｅｒ）配列と呼ばれる。
【０００７】
単板カラー方式の固体撮像素子では、このように各画素は単一の色成分の情報しか持たないため、たとえば、周囲の画素の色情報を用いて補間処理を行なうことで、各画素において必要な色成分を復元するデモザイク処理が行なわれる（特許文献１を参照）。
【先行技術文献】
【特許文献】
【０００８】
【特許文献１】特開平０４−０８８７８４号公報
【発明の概要】
【発明が解決しようとする課題】
【０００９】
一方、近年、可視光成分以外の成分も検知することで、可視光成分だけを検知していた場合では実現し得ない新たなアプリケーションを実現する仕組みも考えられている。
【００１０】
一例としては、単板方式でありながら可視光成分と赤外光成分とを同時に検知するようにし、検知した赤外光成分を使うことで、高感度化を図ることや可視光成分に漏れ込む赤外光成分を抑制する仕組みを本願出願人は提案している。
【００１１】
ところが、従来の固体撮像装置は、フォトダイオードなどの検知部が配置される半導体層は、主に、可視光の検知に最適化されたデバイス構造となっており、このようなものを使って、単純に、可視光成分と赤外光成分とを同時に検知するようにしたのでは、赤外光成分の検知感度が低く、十分な性能が得られないということが分かった。
【００１２】
本発明は、上記事情に鑑みてなされたものであり、感度向上や色再現の向上の効果を高めることができる仕組みを提供することを目的とする。
【課題を解決するための手段】
【００１３】
本発明に係る撮像装置は、電磁波の内の可視光帯の第１の波長領域の成分を検知する第１の検知部と、少なくとも前記第１の波長領域の成分よりも長波長側の赤外光帯の第２の波長領域の成分を検知する第２の検知部とが、所定の順に同一の半導体基板上に配されており、半導体基板の表面からの深さ方向において、第２の検知部の第１導電型のドーパントが形成されている有効領域が、第１の検知部の第１導電型のドーパントが形成されている有効領域よりも深いところまで達している固体撮像装置を備える。
また、第１の波長領域の３つの色成分を透過する第１、第２及び第３の色フィルタを通して第１の検知部で取得される信号に対して、第１、第２及び第３の色フィルタを通して得られる信号よりも高感度の信号を得る第４のフィルタを通して第２の検知部で取得される信号を使って補正を加える補正処理部と、を備える。
【００１４】
そして、第２の検知部は、前記第１の波長領域から前記第２の波長領域までを検知し、補正処理部は、第１、第２及び第３の色フィルタを通して第１の検知部で検知された各波長の信号成分に基づいて取得される測光量を示す信号と、第４のフィルタを通して第２の検知部で検知される可視光帯の３つの色成分の信号との比を掛けることで感度補正演算を実行する高感度化補正処理部を備える。
【００１５】
また、第１の波長領域は可視光帯で第２の波長領域は赤外光帯であるときに、補正処理部は、第１の検知部で取得される可視光帯のカラー画像信号に含まれる赤外光帯の信号成分を、第２の検知部で取得される赤外光帯の信号成分を使って抑制する赤外光抑制補正処理部を備えるものとする。
【００１６】
ここで、固体撮像装置に関しての第１の仕組みとして、半導体基板の表面からの深さ方向において、第２の検知部の第１導電型のドーパントが形成されている有効領域が、第１の検知部の第１導電型のドーパントが形成されている有効領域よりも深いところまで達しているようにする。
【００１７】
つまり、検知部の有効領域が、第２の検知部の方が第１の検知部よりも、より深いところまで達しているようになっているということである。換言すれば、第１の検知部と第２の検知部とを混在させた固体撮像装置とする場合に、第２の検知部だけ、選択的に、第１導電型のドーパントを深くドーズした構造になっているということである。
【００１８】
詳細は実施形態で説明するが、半導体層による電磁波の吸収係数は、長波長側の成分の方が、短波長側の成分よりも小さいという特性がある。このことは、半導体層に入射した電磁波の内の短波長側の成分は、半導体層での吸収の割合が大きく、半導体層の表面で吸収されてしまう度合いが大きいのに対して、長波長側の成分は、半導体層での吸収の割合が小さいので、半導体層の表面で吸収されてしまう度合いが小さく、より深いところまで達することを意味する。
【００１９】
よって、半導体層の深い所までを長波長側を検知する第２の検知部の有効領域としておくことで、この第１の仕組みを適用しない場合よりもより多くの信号電荷を取得できるようになり、長波長に対する検知感度を向上させることができるようになるのである。
【００２０】
また、固体撮像装置に関しての第２の仕組みとして、半導体基板の表面からの深さ方向における検知部の第１導電型のドーパントが形成されている有効領域において、ドーパントの濃度が半導体基板の表面側から深くなるほど低濃度となる、深さ位置によってドーパントの濃度が異なる変調ドーピングが施されているようにする。
【００２１】
半導体層で生成された信号電荷の読出しに当っては、浅いところで生成された信号電荷は高速に読出可能であるが、深いところで生成された信号電荷の読出しには時間が掛かる。そこで、ドーパントの濃度が半導体基板の表面側から深くなるほど低濃度となるような変調ドーピングを施しておくことで、奥側から表面に向けて信号電荷の読出しをし易くするようなバンドの傾斜による内部電界を発生させることができ、半導体層内の奥側で発生した信号電荷を、勾配を持った電界を利用して半導体基板の表面側に高速に移動させることができる。
【００２２】
なお、この第２の仕組みは、第１の仕組みと組み合わせることもできる。この場合、特に、少なくとも、半導体層の深いところまで有効領域を形成してある、長波長側を検知するための第２の検知部側について適用しておくのが好ましい。
【００２３】
つまり、第２の検知部側については第１導電型のドーパントを半導体層の深い所まで形成しておくことで長波長側の感度が向上するようにするとともに、ドーパント濃度を、表面側から深さ方向に漸次低くすることによって、半導体層内の奥側で発生した信号電荷を、電界を利用して表面側に移動し易くして、読出しを有効にするのが好ましい。
【００２４】
また、第２の仕組みを適用する場合、さらに好ましくは、第２導電型のドーパントが、この第２導電型のドーパントの濃度のピーク位置が第１導電型のドーパントの濃度のピーク位置よりも深くなるように形成しておくのがよい。第２導電型のドーパントにより、半導体層の奥側でのバンドの傾斜をより大きくすることで、変調ドーピングの効果をより高めるのである。
【発明の効果】
【００２５】
本発明によれば、長波長側の受光感度が向上するように半導体層の側面（デバイスの側面）から改善を図っている固体撮像装置と組み合わせて補正演算処理を行なうようにしている。このため、第２の検知部で検知される長波長側の成分を使った補正結果を十分な性能にでき、感度向上や色再現の向上の効果を高めることができる。
【図面の簡単な説明】
【００２６】
【図１】本実施形態で採用する色分離フィルタの配置例の基本構造を示す図である。
【図２】色分離フィルタの色配置の具体例の一例を示す図である。
【図３】各色フィルタの光透過特性（分光特性）の基本を示した図である。
【図４】各色フィルタの特性例を示す図である。
【図５】半導体の吸収係数の波長依存性を説明する図である。
【図６】検知部の有効厚みに対する光吸収率の特性を示す図である。
【図７】半導体層の深さ方向におけるドーピング特性を説明する図である。
【図８】長波長領域の感度向上化を図ることのできる固体撮像素子の製造方法の一例を説明する図である。
【図９】物理情報取得装置の一例である撮像装置の概略構成を示す図である。
【図１０】ＣＣＤ固体撮像素子を適用した撮像装置の回路図である。
【図１１】図１０に示したＣＣＤ固体撮像素子の基板表面付近の断面構造を示す模式図である。
【図１２】ＣＭＯＳ固体撮像素子を適用した撮像装置の回路図である。
【図１３】図１２に示したＣＭＯＳ固体撮像素子の基板表面付近の断面構造を示す模式図である。
【図１４】図１３に示した構造における画素内アンプの一例を示す図である。
【発明を実施するための形態】
【００２７】
以下、図面を参照して本発明の実施形態について詳細に説明する。
【００２８】
＜＜基本概念＞＞
図１および図２は、本実施形態で採用する色分離フィルタの色配置例を示す図である。ここで、図１は、色分離フィルタの色配置例の基本構造を示す図であり、図２は、具体例の一例を示す図である。
【００２９】
色分離フィルタの色配置としては、基本的には、可視光カラー画像と赤外光画像をそれぞれ独立に求めることを常時可能にする配置になっている。たとえば、図１に示すように、可視光カラー画像用に色フィルタＣ１，Ｃ２，Ｃ３（何れも選択的な特定波長領域である第１の波長領域成分を透過）の３つの波長領域（色成分）用のものと、色フィルタＣ１，Ｃ２，Ｃ３とは異なる色フィルタＣ４といった別個のフィルタ特性を有する４種類の色フィルタを規則的（本例では正方格子状）に配設している。なお、本例の場合、第１の波長領域成分は可視光領域成分となる。Ｃ１，Ｃ２，Ｃ３、Ｃ４を纏めて色フィルタ１４と称し、それに対応する検知部を画素１２と称する。
【００３０】
色フィルタＣ１，Ｃ２，Ｃ３，Ｃ４を通して対応するフォトダイオードなどの検知部で検知することで、それぞれの成分を独立して検知することができる。色フィルタＣ１，Ｃ２，Ｃ３が配される検知部が第１の検知部であり、色フィルタＣ４が配される検知部が第２の検知部である。また、色フィルタＣ１，Ｃ２，Ｃ３が配される検知部は、カラー画像取得のために第１の波長領域（可視光領域）を、さらに色分離に対応するように、波長分離して検知するためのものである。
【００３１】
ここで、色フィルタＣ１，Ｃ２，Ｃ３は、理想的には、たとえば、可視光帯内のある色成分で透過率が略１、その他で略ゼロとする原色フィルタとする。もしくは、色フィルタＣ１，Ｃ２，Ｃ３は、可視光帯内のある色成分で透過率が略ゼロ、その他で略１の透過率を持つ補色系の色フィルタとする。
【００３２】
補色系の色フィルタは原色系の色フィルタよりも感度が高いので、可視領域の透過光が３原色の各々の補色である補色系の色フィルタを使用することで撮像装置の感度を高めることができる。逆に、原色系の色フィルタを用いることで、差分処理を行なわなくても原色の色信号を取得でき、可視光カラー画像の信号処理が簡易になる利点がある。
【００３３】
なお、透過率が“略１”であるとは、理想的な状態をいったものであり、実際には、光の透過率が減衰する減色フィルタとならざるを得ず、相対的に透過率は低減することになる。この場合でも、その波長領域での透過率がその他の波長領域での透過率よりも遙かに大きいものであればよい。一部に“１”でない透過率”があってもよい。また、透過率が“略ゼロ”であるについても、同様に理想的な状態をいったものであり、その波長領域での透過率がその他の波長領域での透過率よりも遙かに小さいものであればよい。一部に“ゼロ”でない透過率”があってもよい。
【００３４】
また、原色系および補色系の何れも、可視光領域の内の所定色（原色もしくは補色）の波長領域成分を通過させるものであればよく、紫外光領域や赤外光領域を通過させるか否かすなわち赤外光や紫外光に対する透過率は不問である。もちろん、好ましくは、赤外光や紫外光に対する透過率は略ゼロであることが、色再現性の点では有利である。
【００３５】
たとえば、現状一般的に用いられる各色フィルタは、可視光帯内では、たとえばＲ，Ｇ，Ｂの各々に対して透過率が高くその他の色（たとえばＲであればＧやＢ）の透過率が低いが、可視光帯外の透過率に関しては規定外であり、通常、その他の色（たとえばＲであればＧやＢ）の透過率よりも高く、たとえば各フィルタともに赤外領域に感度を持ち、赤外領域において光の透過がある。しかしながら、本実施形態では、このような可視光帯外で透過率が高い特性であっても、色再現性の問題はあるが、基本思想としては、影響を受けない。もちろん、第１の波長領域に関しては、好ましくは、赤外光成分を排除する仕組みを採っておくのが好ましい。
【００３６】
一方、色フィルタＣ４は、この色フィルタＣ４が配された画素１２が、可視光以外の成分（不可視光成分）の内のより長波長側の成分（典型例は赤外光成分）を検知する画素（典型例は赤外光検知画素１２IR）として機能するようにする特性を持っていればよい。つまり、少なくとも第１の波長領域（本例では可視光）に対して長波長側の第２の波長領域（本例では赤外光）の成分を透過するものであればよく、第１の手法として、色フィルタＣ１，Ｃ２，Ｃ３を通過する主要成分（つまり可視光成分）を通過させずに第２の波長領域（本例では赤外光）のみを通過させるもの（いわゆる可視光カットフィルタ）であってもよいし、第２の手法として、第１の波長領域（本例では可視光）から第２の波長領域（本例では赤外光）までの全域の成分を通過させるものであってもよい。
【００３７】
第２の手法を採る場合、色フィルタＣ４は、少なくとも、第２の検知部を色フィルタＣ１，Ｃ２，Ｃ３の検知部よりも光の利用効率の高い画素とするような所定波長領域用のものであればよく、典型的には、第１の波長領域（本例では可視光）から赤外光領域までの全域の成分を通過させるものであるのがよい。本実施形態では、このような、色フィルタＣ４を全域通過フィルタと称する。
【００３８】
たとえば、第２の検知部が、可視光帯である青色から赤色までに加えて赤外光までの光に対しても感度を持つようにする白色フィルタを色フィルタＣ４として用いるのがよい。第２の手法の場合、可視光から赤外光（特に近赤外光）までの全波長の成分を通過させるという点においては、色フィルタＣ４としては、事実上、カラーフィルタを設けない構成を採ることができる。本実施形態では、このように、事実上、カラーフィルタを設けない構成をも含めて、「フィルタＣ４を通して」第２の検知部で検知すると称する。
【００３９】
なお、色フィルタＣ１，Ｃ２，Ｃ３が配される画素の第１の検知部（たとえばフォトダイオードなどの検知部）は、少なくとも可視光に感度を有していればよく、近赤外光に感度を有する必要はなく、むしろ、色再現性の観点では、可視光成分以外についてはできるだけ感度が低いことが望ましい。
【００４０】
一方、色フィルタＣ４が配されるフォトダイオードなどで構成される第２の検知部は、本例の場合、少なくとも赤外光（近赤外光を含む）に感度を有することが必要である。なお、前提として、第２の検知部では、不可視光領域成分の一例である赤外光を検知する必要があるので、第２の検知部に赤外光が入射するようにする必要があり、従来よく使われている赤外光カットフィルタを取り除いて撮像する。
【００４１】
また、第２の検知部は、色フィルタＣ４が赤外光のみを通過させる可視光カットフィルタである場合には可視光に感度を有する必要はないが、色フィルタＣ４が全域通過フィルタである場合には可視光にも感度を有する必要がある。
【００４２】
また、色フィルタＣ４が配される第２の検知部は、色フィルタＣ４が配される第２の検知部により得られる第２の波長領域の成分に関わる物理情報（本例では赤外光画像や広波長領域画像）再現用として使用されるだけでなく、色フィルタＣ１，Ｃ２，Ｃ３が配される第１の検知部により得られる可視光カラー画像再現用の色信号に対して色補正画素や感度補正画素としても使用することができる。色フィルタＣ４は、色フィルタＣ１，Ｃ２，Ｃ３に対しての補正フィルタとして機能することになるのである。
【００４３】
たとえば、可視光カラー画像の再現に当たっては、先ず、色フィルタＣ１，Ｃ２，Ｃ３が配される第１の検知部から第１の波長領域の信号成分ＳC1，ＳC2，ＳC3を、この第１の波長領域の成分とは異なる第２の波長領域（赤外）の成分から事実上分離して検知する。また、少なくとも第２の波長領域（赤外）の成分を含む所定波長領域（赤外のみまたは全域）の信号成分ＳC4をさらに別の第２の検知部で検知する。
【００４４】
また、さらに好ましくは、各信号成分ＳC1，ＳC2，ＳC3を、信号成分ＳC4を使ってより色再現の良好な補正演算（特に色再現補正演算と称する）を実行する、あるいはより高感度な信号となるように補正演算（特に高感度化補正演算と称する）を実行する。
【００４５】
たとえば、色フィルタＣ１，Ｃ２，Ｃ３を通過する可視光成分に赤外光成分が漏れ込む場合に、赤外光の影響の殆どない可視光カラー画像を取得するには、たとえば、色フィルタＣ４を通して得られる赤外光成分の強度を参照して、可視光成分を受光する３つの色画素Ｒ，Ｇ，Ｂで検知される青、赤、緑の成分から赤外光成分を減じる色補正演算処理を実行する必要がある。
【００４６】
また、色フィルタＣ４として可視光から赤外光（特に近赤外光）までの全波長の成分を通過させる全域通過フィルタを使用する場合には、第２の検知部で検知される可視光成分を利用して、色フィルタＣ１，Ｃ２，Ｃ３を通して第１の波長領域の成分を検知した各第１の検知部から出力される各検知信号との間で所定の補正演算処理（ここでは高感度化補正演算処理を意味する）を実行することで、可視光カラー画像を高感度に取得することができる。
【００４７】
また、全域通過フィルタを色フィルタＣ４として使用する場合、色フィルタＣ４を通して得られる第２の波長領域の成分は、第２の検知部を、カラー画像取得用の色フィルタＣ１，Ｃ２，Ｃ３の検知部よりも光の利用効率が高い画素とし、この第２の波長領域の成分を検知した第２の検知部から出力される高光利用効率の検知信号（広波長領域信号ＳＡと称する）を用いて、光の利用効率が高い画像信号を取得することができる高感度画素１２HSにすることもできる。
【００４８】
ここで、光の利用効率が高い画素とするに当たっては、先ず第１の手法として、第２の波長領域の成分は、第１の波長領域の成分（可視光領域成分）のほぼ全体を含むとともに、この可視光領域成分以外の成分である不可視光領域成分（たとえば短波長側の紫外光成分や長波長側の赤外光成分）を含むものとするのが基本である。第１の波長領域の成分以外の成分をも利用することで、光（電磁波）の利用効率を高める思想である。
【００４９】
また、詳細については説明を割愛するが、光の利用効率が高い画素とするに当たっては、さらに好ましくは、第２の手法として、第２の波長領域の成分は、前述の第１の手法を適用しつつ、第１の波長領域の成分（可視光領域成分）に関しては、色フィルタＣ１，Ｃ２，Ｃ３を通して第１の波長領域の成分を検知する各第１の検知部よりも、さらに感度の高い画素となるような成分とすることができる。第２の検知部において、第１の波長領域の成分に関して、第１の検知部よりも高感度で検知することで、光（電磁波）の利用効率を一層高める思想である。
【００５０】
こうすることで、第２の検知部から出力される高光利用効率の検知信号は、可視光部分のいわゆる輝度信号成分と不可視光信号成分の双方を含む広波長領域信号となり、その結果として、感度が向上するだけでなく、解像度の高い広波長領域画像を得ることができるようにもなる。
【００５１】
なお、この場合、第２の検知部で検知した高感度信号（検知信号の一例）と、色フィルタＣ１，Ｃ２，Ｃ３を通して第１の波長領域の成分を検知した各第１の検知部から出力される各検知信号との間で補正演算処理（ここでは高感度化補正演算処理を意味する）を実行することで、可視光カラー画像を高感度に取得することができるようにすることもできる。
【００５２】
また、第２の検知部で検知した広波長領域信号（検知信号の一例）と、色フィルタＣ１，Ｃ２，Ｃ３を通して第１の波長領域の成分を検知した各第１の検知部から出力される各検知信号との間で補正演算処理（ここでは色補正演算処理を意味する）を実行すれば、可視光カラー画像を色再現性の高い画像を取得することができるようにもなる。
【００５３】
なお、第２の波長領域の成分に関わる画像（ここでは赤外光に関わる赤外光画像）は、信号成分ＳC4から取得できる。このとき、色フィルタＣ４が色フィルタＣ１，Ｃ２，Ｃ３を通過する主要成分（つまり可視光成分）を通過させずに第２の波長領域（本例では赤外光）のみを通過させる黒色フィルタを可視光カットフィルタとして使用する場合には、可視光をこの黒色フィルタで吸収させることができ、赤外光用の第２の検知部からは赤外光のみの成分が得られ、信号成分ＳC4そのものが赤外光画像を表わす。つまり、色フィルタＣ１〜Ｃ３を通しての検知部で得られる可視光成分との間での差分処理を行なわなくても可視光の影響をほぼ全く受けない赤外光のみの赤外光画像が得られることになる。
【００５４】
一方、色フィルタＣ４が第１の波長領域（本例では可視光）から第２の波長領域（本例では赤外光）までの全域の成分を通過させる全域通過フィルタである場合には、信号成分ＳC4から信号成分ＳC1，ＳC2，ＳC3により得られる可視光像の成分を減算することで、赤外光像のみを抽出するようにすればよい。
【００５５】
つまり、赤外光を受光する検知領域の受光面側に可視光カットフィルタを入れない場合、赤外光の検知領域側に可視光成分が漏れ込み、この漏込み成分の可視光像と本来の赤外光画像とが混在して第２の検知部で取得される。この混在した可視光像を排除して、可視光の影響の殆どない赤外光画像を取得するには、たとえば、可視光成分を受光する３つの色画素Ｒ，Ｇ，Ｂで検知される青、赤、緑の強度を参照して全体としての可視光成分を見積もり、色フィルタＣ４を通して得られる赤外光成分から可視光成分を減じる演算処理を実行する必要がある。
【００５６】
なお、色フィルタＣ４が第１の波長領域（本例では可視光）から赤外光までの全域の成分を通過させる全域通過フィルタである場合には、色フィルタＣ４が配された高光利用効率対応の第２の検知部で得られる信号成分ＳC4を、従前の輝度信号に代えて使用することもできる。可視光と不可視光との混在による像をそのまま取得するようにしてもよいのである。この場合、可視光成分の少ない低照度環境下での撮影時に、可視光領域以外の成分も使うことが可能となるので、可視光成分のみの場合よりも検知される信号レベルが大きくなり、効果的なノイズ低減を実現することができるようになる。
【００５７】
ただしこの場合、輝度信号レベルが大きくなることでカラー画像の色再現性が低下する懸念がある。輝度成分（広波長領域信号ＳＡ）に赤外光成分を含むため、可視光データのみに基づく色解析処理を行なう構成に比較して色再現性が劣るのである。これは、色差信号レベルが同じであっても、輝度信号レベルが異なると、目に感じる色合いが異なって認識されることに起因するものである。これを避けるには、輝度信号を表わす赤外光成分を使って、色フィルタＣ１〜Ｃ３を通して得られる可視光帯の色成分に補正を加えるようにするのがよい。
【００５８】
このように、色フィルタＣ４として赤外光成分のみを通過させるのか可視光帯も通過させるのかによって、様々な情報が得られるようになるし、補正演算を実行することで、不要な成分を低減することもできる。
【００５９】
なお、各種の補正演算に当たっては、一例として、４種類の波長領域（ここでは４種類の色フィルタを配設した各画素）で得られる信号出力をマトリクス演算することで、可視光カラー画像および近赤外光画像をそれぞれ独立に求めるようにするのがよい。フォトダイオードなどの撮像素子の各画素に、別個のフィルタ特性を有する４種類の色フィルタを配設し、４種類の色フィルタを配設した各画素の出力をマトリクス演算することで、近赤外光の影響をほぼ全く受けない可視光カラー画像を形成するための３原色出力と、可視光の影響をほぼ全く受けない近赤外光画像を形成するための出力を、それぞれ独立かつ同時に取得することができる。
【００６０】
特に、可視光カラー画像に関しては、赤外光の漏れによる色再現の悪さを演算処理にて補正することで、暗所で感度の高く、かつ色再現の良好な撮像が可能になる。赤外光に近い赤色の信号成分が大きくなる現象や映像の赤い部分で輝度が高くなる現象を緩和することもでき、特別な撮像素子や機構を用いなくても、低コストで色再現性の向上と低照度時の感度アップのバランスを取ることができる。
【００６１】
なお、色補正演算処理や感度高感度化補正演算処理の具体的な手法については、本願明細書では説明を割愛するが、一例として、本願出願人による特願２００６−１１４０８１号、特願２００６−１３３４１２号、特願２００６−１６０７１８号、特願２００５−２１１００２号などを参照するとよい。
【００６２】
また、減色フィルタの一例として厚みや重さのある高価なガラス製の光学部材（いわゆる赤外光カットフィルタ）を結像光学系の光路上のセンサの前に入れる必要がなくなる。高価な赤外光カットフィルタを不要にすることで、光学系を軽量かつコンパクトにできるし、コストを大幅に低減できる。もちろん、赤外光カットフィルタの挿入／抜出機構が不要であり、装置が大がかりになることもない。
【００６３】
また赤外光カットフィルタが不用になることによって、赤外光カットフィルタによる光透過率低減を排除できるので、その分だけ高感度化も達成される。また、赤外光カットフィルタなしでカラー撮像を行なうことで、現行の信号処理回路と組み合わせつつ、近赤外線領域の光を有効に利用し高感度化を図ることもでき、低照度時であっても、色再現性が良好になるし、さらにその際に、色補正を加えることで、一層の色再現性の改善を図ることもできる。
【００６４】
可視光成分に漏れ込む赤外光成分による可視光カラー画像の色再現の悪さについては、演算処理により簡単に補正することができる。また、その補正演算に際しては、特開２００３−７０００９号公報に記載の仕組みのような単なる見積もりで補正するのではなく、赤外光成分を実測し、その情報を使って補正するので、実際の撮像環境下での赤外光の強度に応じた適正量で補正を加えることができ、補正精度が極めて良好である。また、ユーザが撮像環境に合わせて補正量を調整する必要がなく使い勝手がよい。
【００６５】
＜色フィルタ配列の具体例＞
なお、図１では、色分離フィルタの繰返単位が２画素×２画素の場合で示したが、これは一例に過ぎず、実際には、たとえば可視光画像の解像度と赤外光画像の解像度の何れを優先させるかに応じて、色分離フィルタの繰返単位やＣ１〜Ｃ４の配置態様を決めればよい。
【００６６】
この際には、たとえば、従来のＲＧＢ原色フィルタやＣｙ，Ｍｇ，Ｙｅ補色フィルタ（あるいは原色フィルタＧ）の可視光の画素に広波長領域対応用の画素（広波長領域画素１２Ａ）を追加することになるが、実際には、既存のフィルタ配置をベースにして、何れかの可視光の画素を広波長領域画素１２Ａに置き換えることになる。このとき、広波長領域画素１２Ａと可視光画像の解像度に大きく寄与する波長成分の画素（たとえば緑色画素１２Ｇ）の配置態様を工夫することで、可視光画像の解像度低下を抑えることや、あるいは、広波長領域画素１２Ａで得られる広波長領域画像（つまり輝度画像）の解像度低下を抑えることができる。
【００６７】
たとえば、従来と同様に、各色の色フィルタ１４をモザイク状に配した色分離フィルタ構造を採用する場合、赤外光と可視光の混在の広波長領域画素１２Ａがある一定の格子間隔を持ってモザイク模様になるようにするとともに、可視光の原色系ＲＧＢまたは補色系Ｃｙ，Ｍｇ，Ｙｅ画素の内の１つの画素がある一定の格子間隔を持ってモザイク模様になるように配置する。
【００６８】
ここで、「モザイク模様になるようにする」とは、ある色画素に着目したとき、それらがある一定の格子間隔を持って格子状に配列されるようにすることを意味する。必ずしも、その色画素が隣接することを必須とはしない。なお、色画素が隣接する配置態様を採った場合の典型例としては、広波長領域画素１２Ａとその他の色画素の正方形を互い違い並べた碁盤目模様（市松模様）となるようにする配置態様がある。あるいは、可視光の原色系ＲＧＢまたは補色系Ｃｙ，Ｍｇ，Ｙｅ画素の内の１つの画素とその他の色画素の正方形を互い違い並べた碁盤目模様（市松模様）となるようにする配置態様がある。
【００６９】
たとえば、ＲＧＢ原色フィルタを用いつつ可視光カラー画像の解像度低下を抑えるには、可視光領域のＧの画素の配置密度を維持し、可視光領域の残りのＲもしくはＢの画素を、広波長領域画素１２Ａに置き換えるとよい。たとえば図２（Ａ）に示す配列態様のように、２行２列の単位画素マトリクス内において先ず、奇数行奇数列および偶数行偶数列に可視光領域の緑色成分を感知するための色フィルタ１４Ｇを設けた緑色画素１２Ｇを配し、偶数行奇数列には白色フィルタ１４Ｗを設けたもしくは色フィルタ１４を設けない広波長領域画素１２Ａを配する。広波長領域画素１２Ａは、可視光および赤外光などの不可視光成分を含む光信号を取得する広波長領域信号取得素子の一例である。
【００７０】
また、単位画素マトリクスの列方向の奇数番目においては、行方向の奇数番目の単位画素マトリクスにおける奇数行偶数列に可視光領域の青色成分を感知するための色フィルタ１４Ｂを設けた青色画素１２Ｂを配し、行方向の偶数番目の単位画素マトリクスにおける奇数行偶数列に可視光領域の赤色成分を感知するための色フィルタ１４Ｒを設けた赤色画素１２Ｒを配する。単位画素マトリクスの列方向の偶数番目においては、青色画素１２Ｂと赤色画素１２Ｒの配置を逆にする。
【００７１】
なお、赤色画素１２Ｒ、緑色画素１２Ｇ、および青色画素１２Ｂを纏めて可視光検知画素１２VLと称する。可視光検知画素１２VLは、ＲＧＢ信号などの可視光信号を波長分離して取得する特定波長領域信号取得素子の一例である。
【００７２】
この図２（Ａ）に示すような配置形態の場合、可視光の原色系ＲＧＢ画素の内の１つの緑色画素１２Ｇとその他の色画素の正方形を互い違い並べた市松模様の配置態様を採用しており、可視光カラー画像における解像度に大きく寄与する緑色画素１２Ｇの配置密度をベイヤ配列と同じにできるので、合成輝度信号を用いて得られる可視光カラー画像の解像度の低下はなくなる。
【００７３】
ただし、赤色画素１２Ｒと青色画素１２Ｂの配置密度はベイヤ配列に対して１／２になるのでカラー分解能が低下する。しかしながら、色に関する人間の視感度は、緑Ｇに比べて赤Ｒや青Ｂは劣るので、大きな問題にはならないと考えてよい。
【００７４】
一方、輝度信号に寄与する広波長領域画素１２Ａで得られる広波長領域画像（つまり輝度画像）に関しては、広波長領域画素１２Ａの配置密度が、可視光領域の緑色成分を感知するための緑色画素１２Ｇに対して１／２になるので、輝度画像の分解能は、原色画素１２Ｒ，１２Ｇ，１２Ｂで得られる各画素信号に基づいて合成される合成輝度信号を利用した場合の可視光カラー画像よりも劣る。
【００７５】
また、広波長領域画素１２Ａで得られる広波長領域画像（つまり輝度画像）の解像度低下を抑えるには、たとえば図２（Ｂ）に示す配列態様のように、図２（Ａ）に示す可視光領域の緑色成分を感知するための緑色画素１２Ｇと、広波長領域画素１２Ａの配置を入れ替えるとよい。この場合、広波長領域画素１２Ａとその他の色画素の正方形を互い違い並べた市松模様の配置態様を採用しており、広波長領域画素１２Ａの配置密度をベイヤ配列の場合と同じにできるので、出力される輝度画像の解像度の低下はなくなる。ただし、可視光カラー画像における解像度に大きく寄与する緑色画素１２Ｇの配置密度は、広波長領域画素１２Ａに対して１／２になるので、可視光カラー画像は、広波長領域画素１２Ａから得られる輝度画像の分解能よりも劣る。カラー分解能に関しては、同様である。
【００７６】
また、色フィルタＣ４として黒色フィルタ１４BKを使用した図２（Ｃ）や図２（Ｄ）に示す配列態様を採ることもできる。ここで、図２（Ｃ）は図２（Ａ）の広波長領域画素１２Ａ（白色フィルタ１４Ｗもしくはフィルタなしの画素）を赤外光検知画素１２IR（黒色フィルタ１４BKの画素）に置き換えたものであり、図２（Ｄ）は図２（Ｂ）の広波長領域画素１２Ａ（白色フィルタ１４Ｗもしくはフィルタなしの画素）を赤外光検知画素１２IR（黒色フィルタ１４BKの画素）に置き換えたものである。
【００７７】
＜＜フィルタの分光特性＞＞
図３および図４は、波長分離の具体例を説明する図である。ここで、図３は、色フィルタ群をなす各色フィルタの光透過特性（分光特性）の基本を示した図である。また、図４は、色フィルタ群をなす各色フィルタの特性例を示す図である。
【００７８】
まず本例では、色フィルタ１４として、赤色近傍の波長を透過する赤（Ｒ）、緑色近傍の波長を透過する緑（Ｇ）、青色近傍の波長を透過する青（Ｂ）、これらに加え、赤外線（IR）とＲＧＢの全てを透過する白（Ｗ）（もしくは色フィルタを使用しないＡ）の各種類の分光特性を持つ色フィルタＲ，Ｇ，Ｂ，Ｗ（Ａ）によって色フィルタ群を構成した事例で示す。
【００７９】
これら色フィルタ１４の分光は、Ｒチャネル、Ｇチャネル、Ｂチャネル，そして赤外線（ＩＲ）とＲＧＢを全て透過するＡ（＝Ｙ＋IR）チャネルからなり、対応する赤色画素１２Ｒ、緑色画素１２Ｇ、青色画素１２Ｂ、赤外線（ＩＲ）とＲＧＢを全て検知する広波長領域画素１２Ａによって、４種類の分光からなるモザイク画像を得ることができる。
【００８０】
広波長領域画素１２Ａを設けることで、撮像素子に入射してくる赤外光IRと可視光の合成成分を示す、つまり可視光部分の輝度信号（Ｙ）と赤外光信号（ＩＲ）の双方を含む広波長領域信号ＳＡとして広波長領域画素１２Ａにより測定できる。
【００８１】
なお、図３では、白色フィルタ１４Ｗの透過特性を可視光帯と赤外光帯とで等しいものとして示しているが、このことは必須ではなく、可視光帯の透過強度よりも赤外光帯の透過強度が低下していてもよい。可視光帯の全波長成分を十分な強度で透過させることができるとともに、赤外光帯では、Ｒ，Ｇ，Ｂの原色フィルタの透過強度に比べて十分な強さで透過させる特性を持っていればよいのである。
【００８２】
ただし、広波長領域画素１２Ａから得られる広波長領域信号ＳＡには、赤外光成分IRだけでなく可視光成分VLも含まれるので、これをそのまま使うことで、可視光成分VLのみで輝度信号を生成するよりも、赤外光成分IRを輝度成分に利用することができ、感度アップを図ることができる。特に、低照度の下で撮影時に、ノイズの少ない輝度信号を得ることができる利点がある。
【００８３】
具体的には先ず、可視光カラー画像撮像用の色フィルタ１４として、可視光VL（波長λ＝３８０〜７８０ｎｍ）の３原色である青色成分Ｂ（たとえば波長λ＝４００〜５００ｎｍで透過率が略１、その他で略ゼロ）、緑色成分Ｇ（たとえば波長λ＝５００〜６００ｎｍで透過率が略１、その他で略ゼロ）、赤色成分Ｒ（たとえば波長λ＝６００〜７００ｎｍで透過率が略１、その他で略ゼロ）を中心とする原色フィルタ１４を用いる。
【００８４】
なお、透過率が“略１”であるとは、理想的な状態をいったものであり、その波長領域での透過率がその他の波長領域での透過率よりも遙かに大きいものであればよい。一部に“１”でない透過率”があってもよい。また、透過率が“略ゼロ”であるについても、同様に理想的な状態をいったものであり、その波長領域での透過率がその他の波長領域での透過率よりも遙かに小さいものであればよい。一部に“ゼロ”でない透過率”があってもよい。
【００８５】
また、通過波長領域成分である可視光VL領域の内の所定色（原色もしくは補色）の波長領域成分を通過させるものであればよく、反射波長領域成分である赤外光IR領域を通過させるか否かすなわち赤外光IRに対する透過率は不問である。誘電体積層膜１によって赤外光IR成分をカットするからである。
【００８６】
一例として、図４（Ａ）に示すような分光感度特性のものを用いることができる。たとえば、Ｂチャネルに対応する青色フィルタ１４Ｂは、青色に相当する３８０ｎｍ〜４８０ｎｍ程度の波長の光信号の透過率が高いフィルタであり、Ｇチャネルに対応する緑色フィルタ１４Ｇは、緑色に相当する約４５０〜５５０ｎｍの波長の光信号の透過率が高いフィルタであり、Ｒチャネルに対応する赤色フィルタ１４Ｒは、赤色に相当する約５５０〜６５０ｎｍの波長の光信号の透過率が高いフィルタである。なお、これらのＲＧＢ対応の色フィルタ１４Ｒ，１４Ｇ，１４Ｂは、約７００ｎｍ以上の波長を持つ赤外光成分は殆ど透過しない性質を持っている。
【００８７】
一方、Ａチャネル対応の白色フィルタ１４Ｗは、ピークは約５００ｎｍ付近であるが、ＲＧＢ成分の全ての信号を透過するとともに、７００ｎｍ以上の赤外光成分も透過する性質を持っている。対応する広波長領域画素１２Ａにて、可視光成分だけでなく、赤外光成分も検知可能にすることで、広波長領域画素１２Ａが、可視光領域内を複数に波長分離して各成分を検知する他の色画素（本例では赤色画素１２Ｒ、緑色画素１２Ｇ、青色画素１２Ｂ）よりも高感度に検知できるようにしている。
【００８８】
なお、本例では、白色フィルタ１４Ｗの可視光領域の透過率は、青色フィルタ１４Ｂ、緑色フィルタ１４Ｇ、赤色フィルタ１４Ｒの各可視光領域の透過率の比と概ね同じにすることで広波長領域画素１２Ａにおける可視光帯のホワイトバランスを考慮しつつ、全体としてそれらの透過率よりも高く、広波長領域画素１２Ａでの可視光領域の感度自体も、青色画素１２Ｂ、赤色画素１２Ｒ、緑色画素１２Ｇの感度よりも高くなるようにしてある。  不可視光成分の一例である赤外光成分も検知可能にすることで高感度化を図るだけでなく、可視光領域自体でも、可視光領域内を複数に波長分離して各成分を検知する他の色画素（本例では赤色画素１２Ｒ、緑色画素１２Ｇ、青色画素１２Ｂ）よりも高感度に検知できるようにし、一層の高感度化を図るようにしているのである。
【００８９】
詳細な説明は割愛するが、このような高感度で得られる広波長領域画素１２Ａからの可視光領域のＲ，Ｇ，Ｂの成分を使って、青色画素１２Ｂ、赤色画素１２Ｒ、青色画素１２Ｂのそれぞれから得られる色信号に対して補正を加えると、より高感度の色信号が得られるようになる。
【００９０】
ところで、一般的な撮像素子では、半導体層のいわゆるフォトダイオード部分などの検知部は、可視光領域成分に対する感度については十分に考慮されており、相応の感度が得られるようになっているが、赤外光成分に対する感度は十分なものとなっていない。
【００９１】
たとえば、図４から明らかなように、Ａチャネル対応の全域通過型の白色フィルタ１４Ｗが配された広波長領域画素１２Ａでは、可視光領域での感度は十分にあり、Ｒ，Ｇ，Ｂ画素の分光感度曲線より上回って大きくなっているのが分かる一方で、長波長側、特に赤外光領域での感度低下が大きいことも分かる。たとえば、広波長領域画素１２Ａの感度は、波長５００ｎｍ程度にピークがあり、さらにそれより長波長側では感度が低下して、波長７００ｎｍ以上の赤外光領域では感度が半分以下になることが分かる。このことは、固体撮像素子のデバイス構造が、可視光帯に対しては最適構造になっているかもしれないが、赤外光までの長波長まで感度がとれるような構造になっておらず、長波長側に対しては最適構造になっていないことを意味する。
【００９２】
そこで、本実施形態で使用する固体撮像素子のデバイス構造としては、この点を解消するべく、長波長領域でも十分な感度がとれるように、デバイスの側面から、次のような工夫を採る。具体的には、フォトダイオードなどの検知部の有効領域（表面からの厚み）を半導体層の深い所までとして、長波長領域でも十分な感度がとれるように感度向上化手法を適用する。以下、この点について詳細に説明する。
【００９３】
＜長波長領域の感度向上化手法＞
図５〜図７は、長波長領域での感度を向上させる手法を説明する図である。ここで、図５は、シリコンなど各半導体の吸収係数の波長依存性を説明する図である。図６は、フォトダイオードなどの検知部の有効厚みに対する光吸収率の特性を示す図である。また、図７は、半導体層の深さ方向におけるドーピング特性を説明する図である。ここで、図７（Ａ）はＮ型基板を用いた場合であり、図７（Ｂ）はＰ型基板を用いた場合である。
【００９４】
図５（Ａ）に示すように、たとえば、Ｓｉ（シリコン）半導体の光の吸収係数は、青，緑，赤，赤外光の順に小さくなる、すなわち入射光に含まれる青色光、緑色光、赤色光、および赤外光に関しては、長波長になるにつれて吸収係数が減少する特性を持つことが分かる。この点に鑑みれば、長波長成分ほど半導体層の深い所まで入射することになり、その深い所でも信号電荷を検知するようにすれば感度向上を図ることができると考えられる。
【００９５】
そこで、図５（Ａ）を元にして、シリコンＳｉを例に、フォトダイオードなどの検知部を形成するための第１導電型のドーパントが注入されている有効領域（表面からの厚み）と波長との関係について、図５（Ｂ）を参照して、考察してみる。
【００９６】
吸収係数をＡ、半導体表面の光強度をＩｏ、表面からの深さ（有効領域）ｘにおける光強度をＩ（ｘ）、表面からの深さ（有効領域）ｘにおける吸収率をＢ（ｘ）とすると、光強度Ｉ（ｘ）は式（１−１）で、吸収率Ｂは式（１−２）で、それぞれ表わすことができる。
【００９７】
【数１】
0005299002.tif 000002
【００９８】
式（１−１）は、吸収によって光強度がどのように変化するかを示すものである。つまり、光が図５（Ｂ）のように吸収係数Ａの物体中を通過するときに光がどのように吸収によって減衰するかを見積もる。この場合、光強度Ｉｏの光が距離ｘを進む場合、そのときの光強度は式（１−１）で表わされるのである。
【００９９】
したがって、吸収で減衰した光強度分ΔＩは“Ｉｏ−Ｉ（ｘ）”となり、この吸収分が光電変換されて信号強度となる。したがって、光吸収率ΔＩ／Ｉｏ＝Ｂ（ｘ）は、式（１−２）で表わされるのである。
【０１００】
ここで、吸収係Ａが光の波長に依存するので、結局の所は、半導体表面からの距離ｘにおける位置での光吸収率Ｂ（ｘ）も、光の波長に依存することになるのである。
【０１０１】
そこで、図５に示した半導体の吸収係数の波長依存性を表すグラフをベースにして、シリコンＳｉの吸収係数の波長分散特性から、式（１−１）および式（１−２）に従って、計算によって光吸収率を求めると、図６が得られる。
【０１０２】
ここで、図６では、１〜１５μｍの各有効厚みについて計算しているが、現在一般的に用いられているＮ型基板を用いた通常のセンサ構造では、表面から３μｍ程度までの薄い有効厚みになることが多い。たとえば、３μｍの場合、波長８００ｎｍでの光吸収率は０．３７５まで低下し、そのために、この波長での感度が低いということになる。これに対して、半導体層の深い所までを有効領域にすると感度向上を図ることができる。たとえば、有効領域を５μｍにすると０．５４３まで光吸収率が高くなり、その分が感度向上になる。
【０１０３】
また、赤外光検知画素１２IRの高感度化を図るだけでなく、アルゴリズムによる高感度化補正演算と組み合わせることで、画像として、本実施形態を実施しない場合に対して、たとえば数倍以上の高感度化を達成することが期待できる。
【０１０４】
なお、半導体層の深い所までを有効領域にする、つまり検知部の有効領域を厚くするに当たっては、イオン注入領域を深くする手法を採ることが考えられる。ここで言うイオン注入とは、たとえばＮ型ドーパントである砒素Ａｓを第１導電型の不純物（ドーパント）の一例として、照射エネルギを高くする方法によって表面から深くドーピングする手法を採るということである。
【０１０５】
たとえば、イオンビームの注入深さと密度分布との関係（たとえば参考文献１を参照）を考慮して、ドーズ量と注入深さを調整する。
【０１０６】
＊参考文献１：石川順三、“荷電粒子ビーム工学”、コロナ社、２００１年発行（初版）、p161
【０１０７】
たとえば、参考文献１に示されているように、イオンビームリングラフィは、注入イオンの投影飛程からビーム強度とエッチング時間による構造深さを予測することができる。投影飛程Ｒｐ(ｎｍ)は、注入イオンの原子番号をＺ１、基板の原子番号をＺ２、標的の原子密度をＮ、注入イオンの質量数Ｍ１、標的の質量数をＭ２、イオンの持つ運動エネルギをＥ[keｖ]とすると、式（２）で求めることができる。
【０１０８】
【数２】
0005299002.tif 000003
【０１０９】
また、注入密度分布Ｎ(ｚ)は、飛程Ｒpを中心をする標準偏差ａ（Ｒｐ）で近似できる。また、注入イオンの標準偏差ａ（Ｒｐ）は式（３）で求めることができる。
【０１１０】
【数３】
0005299002.tif 000004
【０１１１】
このとき、標的の原子密度Ｎ（Ｚ）は、ドーズ量をＮｄとすると、式（４）で求めることができる。
【０１１２】
【数４】
0005299002.tif 000005
【０１１３】
イオンビームの注入深さは投影飛程Ｒpで考えることができるので、注入イオンの運動エネルギＥを大きくする、つまり照射エネルギを高くする方法によって、表面から深い位置までドーパントをドーピングすることができ、有効領域を厚くすることができる。
【０１１４】
なお、検知部の有効領域を厚くするに当たっては、結果物として、検知部の有効領域が厚くなっていればよく、イオン注入領域を深くする手法を採ることに限らず、たとえば、有効領域の一部または全部をエピタキシャル成長で作製することで実現してもよい。エピタキシャル成長ではイオンビーム注入に比べて濃度の深さ方向の制御がし易い。それに対して、イオンビーム注入では量産性に優れる。
【０１１５】
ところが、このように、単純に有効領域を厚くすると、フォトダイオード内の深いところで発生した信号電荷（キャリア、たとえば電子）が表面側まで移動するのに時間が掛かり、信号読取りに問題が発生する。
【０１１６】
そこで、Ｎ型基板を用いる場合には、図７（Ａ）に示すように、半導体表面から深くなるにつれて、Ｎ型（第１導電型）ドーパントの一例である砒素Ａｓのドーピング濃度が低くなるように変調ドーピングをするのが好ましい。
【０１１７】
ここで、式（４）から分かるように、投影飛程Ｒpを大きくすると注入密度分布Ｎ(ｚ)は小さくなるし、式（２）から分かるように、照射エネルギが高いほど投影飛程Ｒpは大きくなるので、イオン注入時に、照射エネルギを漸次（連続的もしくは段階的に）変更すれば、このような変調ドーピングを実現することができると考えられる。
【０１１８】
こうすることで、図７（Ａ）に示すように、奥側から表面に向けて信号電荷の読出しをし易くするようなバンドの傾斜による勾配を持った内部電界が発生する。その結果、フォトダイオード内部で光電変換によって発生した信号電荷を、勾配を持った電界を利用して半導体基板の表面側に高速に移動させることができ、半導体層内の奥側で発生した信号電荷を有効に電気信号に変換できる構造となる。
【０１１９】
また、たとえばＰ型（第２導電型）ドーパントの一例である硼素ＢをＮ型（第１導電型）ドーパントの一例である砒素Ａｓよりさらに深くドーピングするとよい。なお、ここで言うＰ型ドーパントをＮ型ドーパントより深くドーピングするという意味は、Ｐ型ドーパントの濃度のピーク位置をＮ型ドーパントの濃度のピーク位置より深くするということである。こうすることで、Ｎ型半導体基板２０内の奥側でのバンドの傾斜をさらに大きくすることができ、変調ドーピングの効果をより高めることができるようになる。その結果、一層効率よく信号電荷を表面側に移動させて有効に信号に変換できる構造となる。
【０１２０】
なお、これらイオン注入を深くするなどの手法により検知部の有効領域を厚くしたり変調ドーピングしたりすることで長波長領域の感度向上化手法を実施する必要があるのは、長波長領域の一例である赤外光に対する受光感度を高めようとすることに鑑みれば、赤外光を受光する画素については、必ず、実施するのが好ましいことになる。
【０１２１】
一方、可視光を受光する画素について考えた場合、長波長領域の感度向上化手法を実施すると、カラー画像撮像時には、カラー可視光像の再現に本来不要な赤外光成分の受光感度が向上してしまい問題が生じ得る。すなわち、可視光の画素にとっては赤外光に感度を持つ必要がなく、むしろ赤外光に感度を持つことで、混色の原因になり、色再現が悪くなる。赤外光が遮断されずに可視光の画素に混ざることで色が本来から異なってくるのである。
【０１２２】
この点に鑑みれば、カラー画像撮像との組合せを考えた場合には、可視光画素の検知部は深く有効領域をとらない方がよく、赤外光を受光する画素についてのみ選択的に長波長領域の感度向上化手法を実施するのが好ましいこととになる。たとえば、図３の配列における広波長領域画素１２Ａのみにこの感度向上化手法を適用して、各色画素１２Ｒ，１２Ｇ、１２Ｂのカラー可視光像用の画素には、この感度向上化手法を適用しないようにするのが好ましい。
【０１２３】
これに対して、モノクロ画像撮像時には、赤外光成分をも利用することで感度向上を図ることができる。この点に鑑みれば、モノクロ画像撮像との組合せを考えた場合には、全ての画素について長波長領域の感度向上化手法を実施するのが好ましいことになる。
【０１２４】
なお、上述した説明はＮ型基板を用いた場合であるが、実際には、Ｐ型基板を用いてもよい。ただしＰ型基板を用いる場合には、図７（Ｂ）に示すように、Ｐ型基板そのものが持つポテンシャル効果を利用できるので、Ｐ型ドーパントを深くドーピングする必要はなく、Ｎ型ドーパントについての変調ドーピングを実施するだけでもよい。
【０１２５】
また、前述の説明は、光電変換で発生した信号電荷を電子として信号を取り出す場合について説明したが、これとは逆に、光電変換で発生した信号電荷を正孔として信号を取り出すようにしてもよく、この場合、前述の全てのＰ型とＮ型を逆にして考えればよく、Ｐ型とＮ型のドーピング状態を逆転すればよい。
【０１２６】
＜長波長領域の感度向上化の製造方法＞
図８は、長波長領域の感度向上化を図ることのできる固体撮像素子の製造方法の一例を説明する図である。先ず、図８（Ａ）に示すように、Ｎ型半導体基板２０を用意する。次に、図８（Ｂ）に示すように、色フィルタＣ１〜Ｃ３（たとえばＲ，Ｂ，Ｇの各色フィルタ）を配置する可視光検知画素１２VLと色フィルタＣ４を配置する赤外光検知画素１２IR（広波長領域画素１２Ａ）について、画素種ごとにイオン注入の深さを変えるために、Ｎ型半導体基板２０における可視光検知画素１２VLの上に、予め、イオン注入深さを制限する制御膜（以下、干渉膜２２と称する）を形成する。
【０１２７】
第１導電型のドーパントの注入に対して注入深さを制限するための干渉膜２２は、半導体基板２０の可視光検知画素１２VLに対応する位置のＮ型半導体基板２０の表面にのみ存在し、赤外光検知画素１２IRに対応する位置のＮ型半導体基板２０の表面には開口部２４を形成しておく、つまり干渉膜２２を形成しない。
【０１２８】
干渉膜２２としては、第１導電型のドーパントの注入に対して注入深さを制限する機能を有していればよく、たとえば、酸化膜でもよいし、窒化膜でもよいし、レジスト膜など高分子膜でもよい。
【０１２９】
次に、図８（Ｃ）に示すように、干渉膜２２が形成されているＮ型半導体基板２０の表面側から一様に、Ｎ型ドーパントの一例である砒素Ａｓをイオン注入法を適用してドーピングする。この際、イオンビームが干渉膜２２を通過するとき、そのエネルギが減衰されるようにすることで、イオンが深く注入されないようにする一方で、干渉膜２２のない部分をイオンビームが通過するときには減衰がないようにすることで、全面に一様にＮ型ドーパントをイオン注入した場合でも、干渉膜２２が配される可視光検知画素１２VLと干渉膜２２が配されない赤外光検知画素１２IRのイオン注入の深さを選択的に変えることができる。
【０１３０】
このとき、干渉膜２２の厚みを制御することで、広波長領域画素１２Ａと可視光検知画素１２VLのそれぞれについて、望みの位置までにイオン注入がなされることになる。たとえば、広波長領域画素１２Ａについては表面から５μｍと深いところまでドーピングしつつ、可視光検知画素１２VLについては表面から３μｍ程度のところまでドーピングすることができる。
【０１３１】
なお、この際の照射エネルギ量は、先ず、赤外光検知画素１２IRについて、希望の深さ位置までを有効領域に設定できるものとする。この照射エネルギ量のときに、可視光検知画素１２VL側について希望の深さ位置までを有効領域に設定できるように、干渉膜２２の材質や厚みを決めておくのがよい。
【０１３２】
マスクを用意し、広波長領域画素１２Ａ用のイオン注入工程と赤外光検知画素１２IR用のイオン注入工程とを分けて、イオンビームの照射強度を別にして実施することもできるが、この場合、工程数が増える難点がある。これに対して、本例の製造方法では、１つのイオンビーム照射工程で済むので、製造時間やコストを低減できる。
【０１３３】
また、Ａｓイオン注入を、たとえば３段階に照射エネルギを変えて、段階的に注入することで、変調ドーピングを実行する。こうすることで、たとえば赤外光検知画素１２IRの部分については、表面から５μｍと深いところで濃度を低く（〜１×１０＾１５ｃｍ＾３）、さらに浅いところで濃度を高く（〜１×１０＾１７ｃｍ＾−３）することができる。
【０１３４】
照射エネルギを段階的に変える際の順序は、高エネルギ側から低エネルギ側に段階的に変更するようにしてもよいし、逆に、低エネルギ側から高エネルギ側に段階的に変更するようにしてもよい。
【０１３５】
なお、この際に必要となる３段階の照射エネルギなどの条件は、前述の式（２）〜式（４）に従って設定すればよい。
【０１３６】
この後さらに、図８（Ｄ）に示すように、Ｎ型半導体基板２０の表面側から一様に、Ｐ型ドーパントの一例である硼素Ｂをイオン注入法を適用してドーピングする。この際にも、イオンビームが干渉膜２２を通過するとき、そのエネルギが減衰されるようにすることで、イオンが深く注入されないようにする一方で、干渉膜２２のない部分をイオンビームが通過するときには減衰がないようにすることで、全面に一様にＰ型ドーパントをイオン注入した場合でも、干渉膜２２が配される可視光検知画素１２VLと干渉膜２２が配されない赤外光検知画素１２IRのイオン注入の深さを選択的に変えることができる。
【０１３７】
たとえば、広波長領域画素１２Ａについて表面から５〜５．５μｍの所にドーピングするようにすれば、可視光検知画素１２VLについては、概ね表面から３〜３．５μｍ程度の所にドーピングすることができる。
【０１３８】
この後、不要な干渉膜２２を排除した後に、電極や色フィルタ１４を配置していく。
【０１３９】
このような本例の製造方法では、Ｎ型半導体基板２０の全面を一度にイオンドーピングするので、赤外光検知画素１２IR側だけでなく、可視光検知画素１２VL側についても、第１導電型のドーパントが注入されている有効領域内において、ドーパントの濃度が、半導体基板の表面から深くなるほど低濃度となる変調ドーピングが施されることになる。
【０１４０】
このように、可視光検知画素にも変調ドーピングしても何ら不都合は生じない。すなわち、有効領域内（つまり光電変換部内部）の光電変換によって発生した信号電荷（たとえば電子）を表面側に電界で移動させて有効に信号に変換できる効果が、可視光検知画素にもあると考えられるからである。
【０１４１】
＜＜撮像装置＞＞
図９は、物理情報取得装置の一例である撮像装置の概略構成を示す図である。この撮像装置３００は、可視光カラー画像および赤外光画像を独立に得る撮像装置になっている。
【０１４２】
具体的には、撮像装置３００は、被写体Ｚの像を担持する光Ｌを撮像部側に導光して結像させる撮影レンズ３０２と、光学ローパスフィルタ３０４と、色フィルタ群３１２および固体撮像素子（イメージセンサ）３１４を有する撮像部（固体撮像装置）３１０と、固体撮像素子３１４を駆動する駆動部３２０と、固体撮像素子３１４から出力された各撮像信号ＳIR（赤外光成分），ＳＶ（可視光成分）を処理する撮像信号処理部３３０とを備えている。
【０１４３】
光学ローパスフィルタ３０４は、折返し歪みを防ぐために、ナイキスト周波数以上の高周波成分を遮断するためのものである。また、図中に点線で示しように、光学ローパスフィルタ３０４と合わせて、赤外光成分を低減させる赤外光カットフィルタ３０５を設けることもできる。この点は、一般的な撮像装置と同様である。ただし、本構成例では、後述する信号処理との組合せとの観点から、赤外光カットフィルタ３０５を備えない構成を基本とする。
【０１４４】
また、可視光カラー画像および近赤外光画像を独立に得る構成とする場合、撮影レンズ３０２を通して入射された光Ｌ１を不可視光の一例である赤外光IRと可視光VLとに分離する波長分離用の光学部材（波長分離光学系という）を備える仕組みが採られることもあるが、本構成では、そのような入射系において波長分離を行なう波長分離光学系を備えていない。
【０１４５】
固体撮像素子３１４は、２次元マトリックス状に形成された光電変換画素群からなる撮像素子である。なお、本実施形態で用いる固体撮像素子３１４の具体的な構成においては、少なくとも、フォトダイオードなどの検知部が形成される半導体層については、前述の長波長領域に対する高感度化手法が適用されたものを使用する。一方、第１波長領域成分の一例である可視光領域と第２波長領域成分の一例である赤外光領域についての波長分離の仕組みについては、特に限定しない。
【０１４６】
固体撮像素子３１４の撮像面では、被写体Ｚの像を担持する赤外光IRに応じた電荷や可視光VLに応じた電荷が発生する。電荷の蓄積動作や電荷の読出動作などの動作は、図示しないシステムコントロール回路から駆動部３２０へ出力されるセンサ駆動用のパルス信号によって制御される。
【０１４７】
固体撮像素子３１４から読み出された電荷信号、すなわち赤外光画像を担持する赤外光撮像信号ＳIRと可視光像を担持する可視光撮像信号ＳVLは撮像信号処理部３３０に送られ、所定の信号処理が加えられる。
【０１４８】
ここで、本実施形態の構成においては、色フィルタＣ４としては、色フィルタＣ１，Ｃ２，Ｃ３を通して得られる信号よりも光の利用効率が高い高感度信号が得られるようにしており、赤外光撮像信号ＳIRは、高感度撮像信号ＳHS（HS：High Sensitivity）としても機能するようになっている。
【０１４９】
たとえば、撮像信号処理部３３０は、固体撮像素子３１４から出力されたセンサ出力信号（可視光撮像信号ＳVLおよび赤外光撮像信号ＳIR）に対して黒レベル調整やゲイン調整やガンマ補正などの前処理を行なう前処理部３３２と、前処理部３３２から出力されたアナログ信号をデジタイル信号に変換するＡＤ変換部３３４と、撮影レンズ３０２で生じるシェーディングや固体撮像素子３１４の画素欠陥などを補正する画素信号補正処理部３３６と、画像信号処理部３４０とを備えている。
【０１５０】
画像信号処理部３４０は、被写体Ｚを色フィルタＣ１〜Ｃ４の配列パターン（モザイクパターン）に従って画素ごとに異なる色と感度で撮像し、色と感度がモザイク状になった色・感度モザイク画像から、各画素が全ての色成分を有し、かつ、均一の感度を有する画像に変換する高感度化補正処理部３４１を備えている。
【０１５１】
高感度化補正処理部３４１は、色フィルタＣ１〜Ｃ３を通して信号を検知する第１の検知部で検知された各波長の単位信号に基づいて測光量（測定量）を示す信号を取得し、この測光量を示す信号と色フィルタＣ４を通して信号を検知する第２の検知部で検知される高感度の第１の波長領域（本例では可視光領域）の各色成分の信号とを使って、第１の検知部で検知された各波長の単位信号（色信号）に対して感度補正演算を実行する。この感度補正演算としては、具体的には、第１の検知部で検知された各波長の色信号に対して、測光量を示す信号と第２の検知部で検知される高感度の色信号との比を掛けることで実現する。
【０１５２】
このため、高感度化補正処理部３４１は、図示を割愛するが、撮像動作によって得られた色・感度モザイク画像から測光量を示す信号として輝度画像を生成する輝度画像生成処理部、および、色・感度モザイク画像と輝度画像を用いて単色画像Ｒ，Ｇ，Ｂを生成する単色画像処理部とを有する。なお、一般に、波長成分（色成分）や感度が異なるモザイク状の撮像情報としてのモザイク画像から、全ての画素位置について色や感度が均一な情報としての輝度画像や単色画像を生成する処理をデモザイク処理と称する。
【０１５３】
また、高感度化補正処理部３４１は、単色画像処理部で得られる単色画像に対して、輝度画像生成処理部で得られる輝度画像（測光量を示す）と色フィルタＣ４を通して得られる高感度撮像信号ＳHSを用いて補正を加えることで、高感度補正がなされた単色画像Ｒ，Ｇ，Ｂを生成する高感度化補正部を備えている。
【０１５４】
単色画像信号生成部は、注目する色成分について、色フィルタＲ，Ｇ，Ｂを通して得られる各色・感度モザイク画像、色フィルタＲ，Ｇ，Ｂの配列パターンを示す色モザイクパターン情報、および感度モザイクパターン情報に基づいて、近傍の同一色の画素信号ＳＲ，ＳＧ，ＳＢを用いて色・感度モザイク画像に補間処理を施すことで、得られる全ての画素が各色成分の画素値を有する単色画像を生成する。
【０１５５】
輝度画像生成部も、同様に、色フィルタＣ４を通して得られる色・感度モザイク画像、色フィルタＣ４の配列パターンを示す色モザイクパターン情報、および感度モザイクパターン情報に基づいて、近傍の同一色の画素信号ＳＡを用いて色・感度モザイク画像に補間処理を施すことで、得られる全ての画素が高波長領域信号成分の画素値を有する広波長領域画像を生成し、これを、事実上、輝度画像として使用するようにする。
【０１５６】
色フィルタＣ４を設けない、Ｒ，Ｇ，Ｂの３原色フィルタを配したベイヤ配列の場合、色フィルタＲ，Ｇ，Ｂを通して得られる各色・感度モザイク画像、色フィルタＲ，Ｇ，Ｂの配列パターンを示す色モザイクパターン情報、および感度モザイクパターン情報に基づいて、３原色成分Ｒ，Ｇ，Ｂの各推定値を求め、求めた推定値に色バランス係数を乗算し、各色についての乗算値を加算し、その和を画素値とする輝度画像を生成する必要があるが、本実施形態では、このような演算が不要になる。
【０１５７】
なお、輝度画像生成部は、Ｒ，Ｇ，Ｂの合成演算手法を適用することもできる。たとえば、色・感度モザイク画像、色フィルタＣ１〜Ｃ４の配列パターンを示す色モザイクパターン情報、および感度モザイクパターン情報に基づいて、３原色成分Ｒ，Ｇ，Ｂの各推定値を求め、求めた推定値に色バランス係数を乗算する。そして、各色についての乗算値を加算し、その和を画素値とする輝度画像を生成する。ここで、色バランス係数ｋＲ，ｋＧ，ｋＢは、予め設定されている値である。
【０１５８】
また、画像信号処理部３４０は、可視光撮像信号ＳVLに対して赤外光撮像信号ＳIR（高感度撮像信号ＳHS）を使って補正を加えることで補正可視光撮像信号ＳVL＊（ＳＲ＊，ＳＧ＊，ＳＢ＊）を生成する赤外光抑制補正処理部３４２を備えている。
【０１５９】
また、画像信号処理部３４０は、赤外光抑制補正処理部３４２から出力された補正可視光撮像信号ＳVL＊に基づいて輝度信号を生成する輝度信号処理部３４４と、赤外光抑制補正処理部３４２から出力された補正可視光撮像信号ＳVL＊に基づいて色信号（原色信号や色差信号）を生成する色信号処理部３４６と、赤外光撮像信号ＳIRに基づいて赤外光画像を表わす赤外光信号を生成する赤外信号処理部３４８とを備えている。
【０１６０】
なお、本実施形態の構成例では、高感度化補正処理部３４１の後段に、赤外光対応の赤外光抑制補正処理部３４２を設けているが、赤外光抑制補正処理部３４２の後段に、高感度化補正処理部３４１を設ける構成とすることもできる。この場合、高感度化補正処理部３４１に設けられる輝度画像生成部を輝度信号処理部３４４と兼用し、また単色画像処理部を色信号処理部３４６と兼用することができる。
【０１６１】
固体撮像素子３１４から出力された撮像信号は、撮像信号処理部３３０の前処理部３３２により所定レベルに増幅され、ＡＤ変換部３３４によりアナログ信号からデジタル信号に変換される。また、可視光成分のデジタルの画像信号は、赤外光抑制補正処理部３４２で赤外光成分が抑制され、さらに輝度信号処理部３４４や色信号処理部３４６にて、必要に応じて（特に色フィルタＣ１，Ｃ２，Ｃ３として補色フィルタを使用した場合）Ｒ，Ｇ，Ｂの色分離信号に分離された後、輝度信号や色信号もしくはこれを合成した映像信号などに変換され出力される。また、赤外信号処理部３４８にて、赤外光撮像信号ＳIRに対して可視光撮像信号ＳVLを使って補正が加えられる。
【０１６２】
なお、赤外光抑制補正処理部３４２は、可視光撮像信号ＳVLに対して赤外光撮像信号ＳIRを使って補正を加えることができればよく、その配設位置は、このような構成に限定されない。たとえば、ＡＤ変換部３３４とシェーディング補正や画素欠陥補正を行なう画素信号補正処理部３３６との間に設け、シェーディング補正や画素欠陥補正の前に赤外光の影響を抑制する補正を行なうようにしてもよい。
【０１６３】
あるいは、前処理部３３２とＡＤ変換部３３４との間に設け、黒レベル調整やゲイン調整やガンマ補正などの前処理の後に赤外光抑制処理を行なうようにしてもよいし、固体撮像素子３１４と前処理部３３２との間に設け、黒レベル調整やゲイン調整やガンマ補正などの前処理の前に赤外光抑制処理を行なうようにしてもよい。
【０１６４】
このような構成によって、撮像装置３００は、撮影レンズ３０２により赤外光IRを含む被写体Ｚを表わす光学画像を取り込み、赤外光画像（近赤外光光学画像）と可視光像（可視光光学画像）とを分離することなく撮像部３１０に取り込み、撮像信号処理部３３０によってこれら赤外光画像と可視光像とをそれぞれ映像信号に変換した後に所定の信号処理（たとえばＲ，Ｇ，Ｂ成分への色信号分離など）を行なって、カラー画像信号や赤外光画像信号、あるいは両者を合成した混在画像信号として出力する。
【０１６５】
たとえば、撮影レンズ３０２は、波長３８０ｎｍ程度から２２００ｎｍ程度までの光を透過することができる石英またはサファイアなどの光学材料によって構成されるレンズであり、赤外光IRを含む光学画像を取り込んで、これを集光しながら固体撮像素子３１４上に結像させる。
【０１６６】
また、本実施形態の撮像装置３００においては、撮像部３１０に、本来の検知目的の波長成分の検知に最適化された検知部（イメージセンサ）を設けるようにする点に特徴を有している。特に、本実施形態においては、可視光VLと赤外光IRの内の短波長側を検知するべく、可視光VLの検知に最適化された固体撮像素子３１４が設けられている。
【０１６７】
ここで“最適化されたイメージセンサ”とは、先ず、第１の波長領域の一例である可視光領域に関しては、本来の検知目的の波長成分の撮像信号に、本来の検知目的の波長成分以外（典型例としては赤外光成分）が可能な限り含まれないようにするような波長分離対応の領域を、いわゆるフォトダイオードなどの検知部が形成される半導体層上に備えた構造を持つことを意味する。
【０１６８】
なお、このような波長分離対応の仕組みについては、たとえば、本出願人が特願２００４−３５８１３９号にて提案しているように、誘電体積層膜を利用して電磁波を所定波長ごとに分光する波長分離の概念を採り入れた構造を採用するとよい。すなわち、固体撮像素子３１２の電磁波が入射する入射面側に、隣接する層間で屈折率が異なり所定の厚みを持つ層を複数積層した構造を有し、入射される光（電磁波）の内の本来の検知目的外である波長成分（本例では赤外光IR成分）を反射させ残り（本例では可視光VL成分）を通過させる特性を持った積層部材としての誘電体積層膜を利用した波長分離対応の構造を持つ分光イメージセンサ（分光検知部）とするのがよい。
【０１６９】
あるいは、本出願人が特願２００４−２５００４９号にて提案したような回折格子を利用して波長分離を実現する構成のものや、その他の仕組みを利用して波長分離を実現する構成のものなど、様々なものを使用することもできる。
【０１７０】
ただし、回折格子を利用して波長分離を行なう構造のものでは、広波長領域信号取得素子の部分については大きな開口部を設け、特定波長領域信号取得素子の部分には回折格子用の微小開口部を設けることになるが、特定波長領域信号取得素子の部分については、波長順に分離するので、特定波長領域信号取得素子の配置態様の自由度が少ない。
【０１７１】
また、不可視光領域成分（たとえば赤外光成分）をも検知する形態の広波長領域画素１２Ａと可視光成分をさらに波長分離して検知する特定波長領域信号取得素子（赤色画素１２Ｒ、緑色画素１２Ｇ、青色画素１２Ｂの組合せなど）とを２次元マトリクス状に配置した構造とする場合、特定波長領域信号取得素子側については、不可視光領域成分（たとえば赤外光成分）と可視光成分の分離性能が、色再現上、問題となり得る。
【０１７２】
この点においては、本願出願人が特願２００４−３５８１３９号にて提案しているように、第１の検知部の電磁波が入射する入射面側に、隣接する層間で屈折率が異なり所定の厚みを持つ層を複数積層した構造を有し、電磁波の内の所定の波長領域成分を反射させ残りを通過させる特性を持った積層部材が配されている構造の本来的に赤外光成分の抑制能力の高い素子とするのが好ましい。
【０１７３】
また、第２の波長領域の一例である赤外光領域に関しては、いわゆるフォトダイオードなどの検知部が形成される半導体層において、本来の検知目的の波長成分（赤外光成分）の受光感度が、従来構造よりも高まるようなデバイスの側面からの工夫が採られているものを使用する。このようなデバイスの側面からの工夫については、前述のように、長波長領域に対する高感度化手法を適用する。
【０１７４】
本実施形態の撮像装置３００では、信号処理をどのようにするか次第ではあるが、可視光VLと可視光以外（本例では赤外光IR）とを混在させた画像の撮像を行なうことができるし、場合によっては、可視光VLのみの画像と赤外光IRのみの画像とを分離して出力することもできる。
【０１７５】
また、昼間におけるモノクロ画像あるいはカラー画像の撮像時に赤外光IRの影響を受けず、また、夜間などにおいて、赤外光IRによる撮像が可能となる。必要に応じて、他方の像も同時に出力することもできる。その場合でも、昼間において、可視光VLの影響を受けない赤外光IRのみの画像を得ることができる。
【０１７６】
たとえば赤外光IRの影響をほぼ全く受けない可視光VLのみのモノクロ画像が得られる。特開２００２−１４２２２８号公報記載の仕組みとは異なり、赤外光IRの影響をほぼ全く受けない可視光VLのモノクロ画像を得るに際して、赤外光IRの成分との間での演算処理が不要である。
【０１７７】
さらに、固体撮像素子３１２上に、可視光VL内を所定の波長領域成分に分離する光学部材の一例として、可視光領域において所定の波長透過特性を持つ色フィルタを画素（単位画素マトリクス）に対応させて設けることで、赤外光IRの影響をほぼ全く受けない可視光領域中の特定波長領域のみの像が得られる。
【０１７８】
また、単位画素マトリクスを構成する複数のフォトダイオード上に一体的に、可視光領域においてそれぞれ異なる波長透過特性を持つ色フィルタを、各波長対応（色別）のフォトダイオードに位置整合させ、規則的に配列することで、可視光領域を波長別（色別）に分離することができ、これらの色別の画素から得られる各画素信号に基づいて、赤外光IRの影響をほぼ全く受けない可視光VLのみのカラー画像（可視光カラー画像）が得られる。
【０１７９】
もちろん、波長別（色別）の信号を合成することで可視光のみのモノクロ画像を得ることもできる。広波長領域画素１２Ａ側で得られる赤外光成分を含むモノクロ画像と可視光のみのモノクロ画像とを使ったアプリケーションも可能となるし、両者の差分から、赤外光成分のみの画像を抽出することもできる。
【０１８０】
このように、可視光VLのモノクロ画像あるいはカラー画像と、“赤外光IRに関わる像”をそれぞれ独立に求めることが常時可能となる。“赤外光IRに関わる像”とは、可視光VLの影響をほぼ全く受けない赤外光IRのみの像や赤外光IRと可視光VLとを混在させた像を意味する。
【０１８１】
特開２００２−１４２２２８号公報記載の仕組みのような単純なマトリクス演算とは異なり、赤外光IRの影響をほぼ全く受けない可視光VLのカラー画像を得るに際して、可視光領域の信号成分ＳＶから少なくも赤外光領域の成分を含む信号成分ＳIRに所定の係数αを掛けた信号成分を減算する補正演算を行なうと、可視光領域の画素信号に含まれる赤外光成分を精度よく抑制することができる。
【０１８２】
また、特開２００３−７０００９号公報記載の仕組みのような単なる見積もりで補正するのではなく、赤外光成分を実測し、その情報を使って可視光成分に補正を加えると、実情に即してかつ精度よく補正を行なうことができる。
【０１８３】
このように、可視光VLのモノクロ画像あるいはカラー画像と、“赤外光IRに関わる像”をそれぞれ独立に求めることが常時可能となる。“赤外光IRに関わる像”とは、可視光VLの影響をほぼ全く受けない赤外光IRのみの像や赤外光IRと可視光VLとを混在させた像を意味する。
【０１８４】
また、赤外光IRの影響をほぼ全く受けない可視光VLのみの撮像（モノクロ撮像もしくはカラー撮像）と、赤外光IRと可視光VLとを混在させた撮像を、同時に行なうようにすることもできる。また、可視光VLのみの成分（モノクロ像成分もしくはカラー像成分）と、赤外光IRと可視光VLとを混在させた成分との合成処理（詳しくは差分処理）により、可視光VLの影響をほぼ全く受けない赤外光IRのみの撮像を行なうようにすることもできる。
【０１８５】
なお、上記において、“影響をほぼ全く受けない”とは、最終的に人間の視覚によることを考慮し、一般的に人間の視覚によって明確な差が関知できない程度であれば、“影響を若干受ける”ことがあってもよい。すなわち、赤外光IR側については通過波長領域（可視光VL）の影響を無視可能な赤外画像（物理情報の一例）を取得できればよく、可視光VL側については反射波長領域成分（赤外光IR）の影響を無視可能な通常画像（物理情報の一例）を取得できればよい。
【０１８６】
なお、色フィルタＣ４として、白色フィルタを使用する場合には、色フィルタＣ４が配される補正画素は、可視光から赤外光まで広い波長域において感度を持つことになるので、色フィルタＣ１，Ｃ２，Ｃ３が配される可視光撮像用の他の画素に比べて、画素信号が飽和し易い。
【０１８７】
この問題を避けるには、色フィルタＣ４が配される第２の検知部の検知時間を駆動部３２０により制御するとよい。たとえば、明るい所での撮像においては、電子シャッタ機能を利用するなどして、通常よりも短い周期で補正画素の検知部から画素信号を読み出して、それを前処理部３３２に送るようにするのがよい。この場合、６０フレーム／秒より高いレートで信号を送ることで飽和に対して効果が得られる。
【０１８８】
あるいは単に０．０１６６７秒より短い時間（蓄積時間）で補正画素の検知部から電荷を読み出せればよい。この場合、オーバーフローを用いて基板側に電荷信号を排出することで実効的に短い時間での電荷の蓄積を読み出してもよい。さらに望ましくは、２４０フレーム／秒より高いレートで信号を送ることで飽和に対して効果がよりある。あるいは、単に４．１６ミリ秒より短い時間（蓄積時間）で検知部から電荷を読み出せればよい。何れにしても、補正画素の検知部から出力される画素信号が飽和し難いようにできればよい。なお、このように飽和しないように短い時間（蓄積時間）で電荷を読み出すのは補正画素だけ行なってもよいし、全画素をそのようにしてもよい。
【０１８９】
さらに短い時間で読み取った信号を２回以上積算することで、弱い信号を強い信号に変換し、Ｓ／Ｎ比を高めてもよい。たとえば、このようにすることで暗いところで撮像しても、また明るいところで撮像しても適切な感度と高いＳ／Ｎ比が得られ、ダイナミックレンジが広がることになる。
【０１９０】
このように、本実施形態の撮像装置３００では、３原色成分に基づく可視光カラー画像と、赤外光IRのみの像または赤外光IRと可視光VLの混合の像を同時に撮像できる。また、色フィルタＣ４として、白色フィルタを使用する場合には、高感度画素１２HSで得られる高感度信号を利用して３原色成分の信号に補正を加えることで高感度対応の３原色信号を取得できるし、高感度画素１２HSで得られる高感度信号そのものを輝度信号として使用することもできる。
【０１９１】
ただし、たとえば、誘電体積層膜を利用したセンサ構造とする場合、デバイスの厚さや受光感度や色再現性などの全てを最適にすることは難しく、全体のバランスを取った構造にせざるを得ず、結果として、可視光カラー画像については、赤外光成分の漏れによる色再現性が問題として残る。
【０１９２】
また、回折格子５０１を利用した分光イメージセンサ５１１の場合、幅方向における波長による場所依存性を利用することで可視光と赤外光とを分離できるが、可視光と赤外光の境界付近では可視光（青色光、緑色光、および赤色光）と赤外光の分離が不完全であり、結果として、赤外光成分の漏れによる色再現性が問題として残る。逆に、赤外光画像に関しては、可視光成分の漏れによる影響が存在する。
【０１９３】
このような問題を解決するべく、本実施形態の撮像装置３００は、画像信号処理部３４０に赤外光抑制補正処理部３４２を備えることで、可視光を受光する検知領域における赤外光混入による色再現問題の解決を図るようにしている。加えて、赤外光成分の受光感度が向上するように半導体層の側面（デバイスの側面）から改善を図っておくことで、その赤外光成分を使った補正結果が十分な性能になるようにしている。
【０１９４】
こうすることで、光学的な波長分離手段（典型例は赤外光カットフィルタ）をイメージセンサの前に設けなくても信号処理によって可視光領域に対しての不要成分である赤外光を抑制・除去できる。赤外光の漏れが可視光検知部の検知結果に存在しても、その不要な赤外光の成分を信号処理により抑制・除去できるので、十分な色再現性の可視光カラー画像を取得できる撮像装置の実現に際し、イメージセンサの使用範囲が広くなる。
【０１９５】
＜撮像装置；ＣＣＤ対応＞
図１０は、図１に示す色分離フィルタ配置を、インターライン転送方式のＣＣＤ固体撮像素子（ＩＴ＿ＣＣＤイメージセンサ）に適用した場合の撮像装置の回路図である。
【０１９６】
ここで、図１０は、可視光帯内をＲ，Ｇ，Ｂの各色成分に分けつつ赤外光IRを検知するようにした構造を示し、可視光VLの内の青色光Ｂ、緑色光Ｇ、および赤色光Ｒと、赤外光IRとを、それぞれ独立に検知する構造であり、実質的には画素マトリクス１２MTX 内において波長別に画素（光電変換素子）１２Ｂ，１２Ｇ，１２Ｒを形成しつつ、波長分離構造を有していない赤外光検知画素１２IRを有し、赤外光検知画素１２IRを他の画素に対して補正画素として利用する構造である。
【０１９７】
色フィルタ１４の具体的な配列としては、たとえば、広波長領域画素１２Ａで得られる広波長領域画像（つまり輝度画像）の解像度低下を抑えるべく図２（Ｂ）に示したものを採用する。
【０１９８】
ＣＣＤ固体撮像素子１０１は、図１０（Ａ）に示すように、画素マトリクス１２MTX の他に、垂直転送方向に、垂直転送ＣＣＤ１２２が複数本並べられて設けられている。さらに、垂直転送ＣＣＤ１２２と各画素１２との間には読出ゲート１２４をなすＭＯＳトランジスタが介在し、また各ユニットセル（単位構成要素）の境界部分には図示しないチャネルストップが設けられる。
【０１９９】
センサ部１１２の垂直列ごとに設けられ、各センサ部から読出ゲート１２４によって読み出された信号電荷を垂直転送する複数本の垂直転送ＣＣＤ１２２とセンサ部１１２とによって撮像エリア１１０が構成される。
【０２００】
センサ部１１２の画素１２に蓄積された信号電荷は、読出ゲート１２４に読出パルスＲＯＧに対応するドライブパルスφＲＯＧが印加されることで、同一垂直列の垂直転送ＣＣＤ１２２に読み出される。垂直転送ＣＣＤ１２２は、たとえば３相〜８相などの垂直転送クロックＶｘに基づくドライブパルスφＶｘよって転送駆動され、読み出された信号電荷を水平ブランキング期間の一部にて１走査線（１ライン）に相当する部分ずつ順に垂直方向に転送（ラインシフトと称する）する。
【０２０１】
赤外光検知画素１２IRは、本実施形態の構成においては、高感度対応の色フィルタＣ４が設けられることで、特に高感度画素１２HSとしての機能を持つ。また本例では、高感度画素１２HSは、広波長領域画素１２Ａでもある。
【０２０２】
また、ＣＣＤ固体撮像素子１０１には、複数本の垂直転送ＣＣＤ１２２の各転送先側端部すなわち、最後の行の垂直転送ＣＣＤ１２２に隣接して、所定（たとえば左右）方向に延在する水平転送ＣＣＤ１２６（Ｈレジスタ部、水平転送部）が１ライン分設けられる。
【０２０３】
この水平転送ＣＣＤ１２６は、たとえば２相の水平転送クロックＨ１，Ｈ２に基づくドライブパルスφＨ１，φＨ２によって転送駆動され、複数本の垂直転送ＣＣＤ１２２から転送された１ライン分の信号電荷を、水平ブランキング期間後の水平走査期間において順次水平方向に転送する。このため２相駆動に対応する複数本（２本）の水平転送電極が設けられる。
【０２０４】
水平転送ＣＣＤ１２６の転送先の端部には、たとえばフローティング・ディフュージョン・アンプ（ＦＤＡ）構成の電荷電圧変換部を有する出力アンプ１２８が設けられる。出力アンプ１２８は、物理情報取得部の一例であって、電荷電圧変換部において、水平転送ＣＣＤ１２６によって水平転送されてきた信号電荷を順次電圧信号に変換し所定レベルに増幅して出力する。この電圧信号は、被写体からの光の入射量に応じたＣＣＤ出力（Ｖout ）として画素信号が導出される。以上により、インターライン転送方式のＣＣＤ固体撮像素子１０１が構成される。
【０２０５】
ＣＣＤ出力（Ｖout ）として出力アンプ１２８から導出された画素信号は、図１０（Ｂ）に示すように、撮像信号処理部３３０に入力される。撮像信号処理部３３０には、信号切替制御部の一例である画像切替制御部３６０からの画像切替制御信号が入力されるようになっている。
【０２０６】
画像切替制御部３６０は、撮像信号処理部３３０の出力を赤外光IRの影響をほぼ全く受けない可視光VLのモノクロ画像やカラー画像と、可視光VLの影響をほぼ全く受けない赤外光IRの画像の何れか一方のみ、もしくはこれらの双方、あるいは可視光VLと赤外光IRの混在画像すなわち赤外光IRの輝度を加算した擬似モノクロ画像あるいは擬似カラー画像にするかの切替えを指令する。つまり、可視光VLの画像と赤外光IRに関わる画像との同時撮像出力や切替撮像出力を制御する。
【０２０７】
この指令は、撮像装置を操作する外部入力によってもよく、また、撮像信号処理部３３０の赤外光IRのない可視光輝度により画像切替制御部３６０が自動処理により切替えを指令してもよい。
【０２０８】
ここで、撮像信号処理部３３０は、たとえば、各画素の撮像データＲ，Ｇ，Ｂ，IRを同時化する同時化処理、スミア現象やブルーミング現象によって生じる縦縞のノイズ成分を補正する縦縞ノイズ補正処理、ホワイトバランス（ＷＢ；White Balance ）調整を制御するＷＢ制御処理、階調度合いを調整するガンマ補正処理、電荷蓄積時間の異なる２画面の画素情報を利用してダイナミックレンジを拡大するダイナミックレンジ拡大処理、あるいは輝度データ（Ｙ）や色データ（Ｃ）を生成するＹＣ信号生成処理などを行なう。これにより、赤（Ｒ），緑（Ｇ），青（Ｂ）の原色の撮像データ（Ｒ，Ｇ，Ｂ，IRの各画素データ）に基づく可視光帯の画像（いわゆる通常画像）が得られる。
【０２０９】
また、撮像信号処理部３３０は、赤外光IRの画素データを用いて、赤外光IRに関わる画像を生成する。たとえば、可視光像取得用の画素１２Ｒ，１２Ｇ，１２Ｂに対して補正画素として機能する赤外光検知画素１２IRにおいて、赤外光IRだけでなく可視光VLも同時に信号に寄与するように色フィルタＣ４を入れない場合には、赤外光検知画素１２IRからの画素データを用いることで、高感度の画像が得られる。また、画素１２Ｒ，１２Ｇ，１２Ｂから得られる各色成分との差分を取ることで、赤外光IRのみの像が得られる。
【０２１０】
このようにして生成された各画像は、図示しない表示部に送られ、操作者に可視画像として提示されたり、あるいはそのままハードディスク装置などの記憶装置に記憶・保存されたり、またはその他の機能部に処理済みデータとして送られる。
【０２１１】
＜センサ構造の具体例；ＣＣＤ対応＞
図１１は、図１０に示したインターライン転送方式のＣＣＤ固体撮像素子の基板表面付近の断面構造を示す模式図である。ここでは、可視光VLのみを受光する可視光検知画素１２VL（色画素１２Ｒ，１２Ｇ，１２Ｂ）と赤外光検知画素１２IR（＝画素１２HS，広波長領域画素１２Ａ）とを示している。
【０２１２】
赤外光IRと可視光VLの混合を受光する赤外光検知画素１２IRは、誘電体積層膜および色フィルタ１４がない構造である。すなわち、誘電体積層膜をＣＶＤ法でＳｉＮ層とＳｉＯ２層を順次積層した後、リソグラフィ技術とＲＩＥ法によって赤外光IRを受光する画素のみにおいて除去する。その後、再びＳｉＯ２層を積層して平坦化した。
【０２１３】
一方、可視光帯内を色別に検知する可視光検知画素１２VLでは、図示を割愛した色フィルタが配されるとともに、赤外光を排除するための誘電体積層膜１が半導体層上に形成される。
【０２１４】
ここで、赤外光検知画素１２IRでは、ＰＮ接合でなる検知部のＮ型層の厚みを、半導体表面から５μｍとして、Ｎ型ドーパントの一例である砒素Ａｓがイオン注入されている。さらに、Ｐ−Ｗｅｌｌ層としてＰ型ドーパントの一例である硼素Ｂが、半導体表面から５〜５．５μｍにイオン注入されている。
【０２１５】
これに対して、可視光検知画素１２VLでは、ＰＮ接合でなる検知部のＮ型層の厚みを、半導体表面から３μｍとして、Ｎ型ドーパントの一例である砒素Ａｓがイオン注入されている。さらに、Ｐ−Ｗｅｌｌ層としてＰ型ドーパントの一例である硼素Ｂが、半導体表面から３〜３．５μｍにイオン注入されている。
【０２１６】
このような構造で作製されたＣＣＤ撮像素子を用いることで、３原色の可視光VLの像と、赤外光IRのみの像または赤外光IRと可視光VLの混合の像を同時に撮像できることが分かった。また、赤外光検知画素１２IRを高感度にすることができた。
【０２１７】
たとえば、図２（Ｂ）に示したフィルタ配列を採用すると、赤外光検知画素１２IRは、赤外光IRと可視光VLの混合成分を受光する広波長領域画素１２Ａとして使用でき、この広波長領域画素１２Ａからの画素データをそのまま用いることで、赤外光IRと可視光VLの混合成分の像を得ることができ、これを輝度信号として使用することで、感度を高くすることができる。また、赤外光成分の感度が従前のものよりも高いので、赤外光成分を輝度成分に利用することによる感度アップの効果をより高めることができる。画像として高感度化を飛躍的に高めることができる。
【０２１８】
＜撮像装置；ＣＭＯＳ対応＞
図１２は、図１に示す色分離フィルタ配置を、ＣＭＯＳ固体撮像素子（ＣＭＯＳイメージセンサ）に適用した場合の撮像装置の回路図である。
【０２１９】
ここで、図１２は、可視光帯内をＲ，Ｇ，Ｂの各色成分に分けつつ赤外光IRを検知するようにした構造を示し、可視光VLの内の青色光Ｂ、緑色光Ｇ、および赤色光Ｒと、赤外光IRとを、それぞれ独立に検知する構造であり、実質的には１つの単位画素マトリクス内において波長別に画素（光電変換素子）１２Ｂ，１２Ｇ，１２Ｒを形成しつつ、波長分離構造を有していない赤外光検知画素１２IRを有し、赤外光検知画素１２IRを他の画素に対して補正画素として利用する構造である。
【０２２０】
色フィルタ１４の具体的な配列としては、ＣＣＤの場合と同様に、たとえば、広波長領域画素１２Ａで得られる広波長領域画像（つまり輝度画像）の解像度低下を抑えるべく図２（Ｂ）に示したものを採用する。この場合、赤外光検知画素１２IRは、高感度対応の色フィルタＣ４が設けられることで、特に高感度対応の画素１２HS（広波長領域画素１２Ａ）としての機能を持つ。
【０２２１】
ＣＯＭＳに応用した場合、単位画素マトリクス内の１つ１つの画素（光電変換素子）１２Ｂ，１２Ｇ，１２Ｒ，１２IRに対してセルアンプを１つ持つ構造となる。よってこの場合、図１２（Ａ）のような構造となる。画素信号はセルアンプで増幅された後にノイズキャンセル回路などを通して出力される。
【０２２２】
たとえばＣＭＯＳ固体撮像素子２０１は、入射光量に応じた信号を出力する受光素子（電荷生成部の一例）を含む複数個の画素が行および列に配列された（すなわち２次元マトリクス状の）画素部を有し、各画素からの信号出力が電圧信号であって、ＣＤＳ(Correlated Double Sampling ；相関２重サンプリング）処理機能部やデジタル変換部（ＡＤＣ；Analog Digital Converter）などが列並列に設けられている、いわゆる典型的なカラム型となっている。
【０２２３】
具体的には、図１２に示すように、ＣＭＯＳ固体撮像素子２０１は、複数の画素１２が行および列に配列された画素部（撮像部）２１０と、画素部２１０の外側に設けられた駆動制御部２０７と、カラム処理部２２６と、出力回路２２８とを備えている。
【０２２４】
駆動制御部２０７は、画素部２１０の信号を順次読み出すための制御回路機能を備えている。たとえば、駆動制御部２０７としては、列アドレスや列走査を制御する水平走査回路（列走査回路）２１２と、行アドレスや行走査を制御する垂直走査回路（行走査回路）２１４とを備えている。
【０２２５】
水平走査回路２１２は、カラム処理部２２６からカウント値を読み出す読出走査部の機能を持つ。これらの駆動制御部２０７の各要素は、画素部２１０とともに、半導体集積回路製造技術と同様の技術を用いて単結晶シリコンなどの半導体領域に一体的に形成され、半導体システムの一例である固体撮像素子（撮像デバイス）として構成される。
【０２２６】
画素１２は、典型的には、受光素子（電荷生成部）としての単位画素マトリクスと、増幅用の半導体素子（たとえばトランジスタ）を有する画素内アンプ（セルアンプ；画素信号生成部）２０５（波長別には２０５Ｂ，２０５Ｇ，２０５Ｒ，２０５IR）とから構成される。画素信号生成部２０５IRは、本実施形態の構成においては、高感度対応の画素信号生成部としての機能を持つ。
【０２２７】
また、図１２から分かるように、１つの単位画素マトリクスが、青色光Ｂ、緑色光Ｇ、赤色光Ｒ、および赤外光IRを独立に検知する構造であり、実質的には１つの単位画素マトリクス１２MTX 内において波長（色）別に画素１２Ｂ，１２Ｇ，１２Ｒ，１２IRを形成した構造である。
【０２２８】
画素１２は、行選択のための行制御線２１５を介して垂直走査回路２１４と、また垂直信号線２１９を介してカラム処理部２２６と、それぞれ接続されている。ここで、行制御線２１５は垂直走査回路２１４から画素に入る配線全般を示す。
【０２２９】
水平走査回路２１２や垂直走査回路２１４は、たとえばシフトレジスタやデコーダを含んで構成され、図示を割愛した通信・タイミング制御部から与えられる制御信号に応答してアドレス選択動作（走査）を開始するようになっている。このため、行制御線２１５には、画素１２を駆動するための種々のパルス信号（たとえば、リセットパルス、転送パルス、ドレイン制御パルスなど）が含まれる。
【０２３０】
水平走査回路２１２は、図示を割愛した通信・タイミング制御部から与えられるクロックに同期してカラム処理部２２６内の図示しないカラム回路を順番に選択し、その信号を水平信号線（水平出力線）２１８に導くものである。
【０２３１】
垂直走査回路２１４は、画素部２１０の行を選択し、その行に必要なパルスを供給するものである。たとえば、垂直方向の読出行を規定する（画素部２１０の行を選択する）垂直デコーダと、垂直デコーダにて規定された読出アドレス上（行方向）の画素１２に対する行制御線２１５にパルスを供給して駆動する垂直駆動回路とを有する。なお、垂直デコーダは、信号を読み出す行の他に、電子シャッタ用の行なども選択する。
【０２３２】
このような構成のＣＭＯＳ固体撮像素子２０１において、画素１２から出力された画素信号は、垂直列ごとに、垂直信号線２１９を介して、カラム処理部２２６のカラム回路に供給される。ここで、単位画素マトリクス（各画素１２Ｂ，１２Ｇ，１２Ｒ，１２IR）に蓄積された信号電荷は、同一垂直列の垂直信号線２１９を介して読み出される。
【０２３３】
カラム処理部２２６の各カラム回路は、１列分の画素の信号を受けて、その信号を処理する。たとえば、各カラム回路は、アナログ信号を、図示を割愛した通信・タイミング制御部から与えられるクロックを用いて、たとえば１０ビットのデジタルデータに変換するＡＤＣ(Analog Digital Converter)回路を持つ。
【０２３４】
また、回路構成を工夫することで、垂直信号線２１９を介して入力された電圧モードの画素信号に対して、画素リセット直後の信号レベル（ノイズレベル）と真の（受光光量に応じた）信号レベルＶsig との差分をとる処理を行なうことができる。これにより、固定パターンノイズ（ＦＰＮ；Fixed Pattern Noise ）やリセットノイズといわれるノイズ信号成分を取り除くことができる。
【０２３５】
このカラム回路で処理されたアナログの画素信号（あるいはデジタルの画素データ）は、水平走査回路２１２からの水平選択信号により駆動される水平選択スイッチ２１７を介して水平信号線２１８に伝達され、さらに出力回路２２８に入力される。
【０２３６】
このような構成によって、電荷生成部としての単位画素マトリクス（画素１２Ｂ，１２Ｇ，１２Ｒ，１２IR）が行列状に配された画素部２１０からは、行ごとに各垂直列について画素信号が順次出力される。そして、受光素子が行列状に配された画素部２１０に対応する１枚分の画像すなわちフレーム画像が、画素部２１０全体の画素信号の集合で示されることとなる。
【０２３７】
出力回路２２８は、ＣＣＤ固体撮像素子１０１における出力アンプ１２８に対応するものであって、その後段には、ＣＣＤ固体撮像素子１０１と同様に、図１２（Ｂ）に示すように、撮像信号処理部３３０が設けられる。撮像信号処理部３３０には、ＣＣＤ固体撮像素子１０１の場合と同様に、画像切替制御部３６０からの画像切替制御信号が入力されるようになっている。
【０２３８】
これにより、赤（Ｒ），緑（Ｇ），青（Ｂ）の原色の撮像データ（Ｒ，Ｇ，Ｂ，IRの各画素データ）もしくは可視光VL用の画素データに基づく可視光帯の画像（いわゆる通常画像）が得られるとともに、赤外光IRの画素データを用いることで、赤外光IRに関わる画像を得ることができる。
【０２３９】
＜センサ構造の具体例；ＣＭＯＳ対応＞
図１３は、図１２に示したＣＭＯＳ固体撮像素子の基板表面付近の断面構造を示す模式図である。また、図１４は、その画素内アンプ２０５の一例を示す図である。ここでは、可視光VLのみを受光する可視光検知画素１２VL（色画素１２Ｒ，１２Ｇ，１２Ｂ）と高感度対応の赤外光検知画素１２IR（＝画素１２HS，広波長領域画素１２Ａ）とを示す。
【０２４０】
本例の画素内アンプ２０５としては、図１４に示すように、画素１２で検知される信号電荷を電圧信号に変換して画素信号として出力するアンプトランジスタと、リセット線を介して供給されるリセットパルスに従って画素をリセットするリセットトランジスタと、垂直選択線を介して供給される垂直選択パルスに従ってアンプトランジスタから出力される画素信号を信号線に選択的に出力するスイッチ（ＳＷ）トランジスタとを備えた３トランジスタ構成のものとしている。
【０２４１】
なお、ここで示す構図では、可視光検知画素１２VL部分について誘電体積層膜１を赤外光除去用に使用するが、この際、画素配線としてのメタル配線を考慮して、シリコン基板１＿ωよりある程度距離の離れた上側において、誘電体積層膜１をシリコン基板１＿ω上に、フォトダイオードなどの検知部と一体的に形成する。
【０２４２】
ＣＭＯＳ構造を考えると、フォトダイオードなどの検知部が形成された半導体素子層上に配線層を３つ有し、それらの総厚みが３．２μｍ程度ある場合において、フォトダイオードなどが形成されるシリコン基板１＿ωよりも略３．２μｍ上に多層膜構造を一体的に形成する場合、最上である第３層目の配線層のプロセスの後に誘電体積層膜１を形成すればよいことになる。こうすることで、厚みｄｋ＝３．２μｍを持つ第ｋ層内に配線層を設けることができる。
【０２４３】
ここで、“略３．２μｍ”と記載したのは、図示のように、本例では、シリコン基板１＿ω上に厚みが１０ｎｍ程度のＳｉＯ２層（δ層）を設け、その上に、厚みが６５ｎｍ程度のＳｉＮ層（γ層）を設けており、“３．２μｍ”は、これらγ，δ層を除くｋ層の厚さを意味するからである。
【０２４４】
色フィルタ１４やマイクロレンズなどは、この誘電体積層膜１を形成した後に形成すればよい。
【０２４５】
ここで、ＣＭＯＳの場合においても、ＣＣＤの場合と同様に、赤外光検知画素１２IRでは、ＰＮ接合でなる検知部のＮ型層の厚みを、半導体表面から５μｍとして、Ｎ型ドーパントの一例である砒素Ａｓがイオン注入されている。さらに、Ｐ−Ｗｅｌｌ層としてＰ型ドーパントの一例である硼素Ｂが、半導体表面から５〜５．５μｍにイオン注入されている。
【０２４６】
これに対して、可視光検知画素１２VLでは、ＰＮ接合でなる検知部のＮ型層の厚みを、半導体表面から３μｍとして、Ｎ型ドーパントの一例である砒素Ａｓがイオン注入されている。さらに、Ｐ−Ｗｅｌｌ層としてＰ型ドーパントの一例である硼素Ｂが、半導体表面から３〜３．５μｍにイオン注入されている。
【０２４７】
このような構造で作製されたＣＭＯＳ撮像素子を用いることで、ＣＣＤ撮像素子の場合と同様に、３原色の可視光VLの像と赤外光IRのみの像または赤外光IRと可視光VLの混合の像を同時にかつ高感度で撮像できることが分かった。
【０２４８】
以上説明したように、本実施形態の仕組みでは、可視光帯用の波長分離フィルタ（色フィルタＣ１〜Ｃ３）の他に、可視光帯以外のより長波長側の成分（たとえば赤外光成分）に対応した色フィルタＣ４を配した画素（赤外光検知画素１２IR）を用意する際に、その赤外光検知画素１２IRの検知感度をデバイスの側面から向上させるようにした。
【０２４９】
これにより、不可視光成分として赤外光成分を適用したときに、眼で見ることのできない赤外光の像情報を同時に取得することができるし、従前よりも高感度で取得できるようになるので、たとえば、低照度環境下での撮像にも十分に耐え得るようになる。可視光のみならず赤外光成分まで充分な感度がとれ、かつ信号として有効に読み取りが可能となる。よって、可視光のない、たとえば夜間においても、赤外光を照射して撮像することで、より鮮明な像を得ることができるので、防犯用のイメージセンサとしての応用も可能である。
【０２５０】
加えて、長波長成分についてのデバイスの側面からの高感度化対応と相俟って、後段の信号処理における赤外光成分を使った補正演算のアルゴリズムを適用することで、さらなる感度向上や色再現の向上を図ることもでき、今まで撮像ができなかった暗いところでも良好なカラー画像を容易に撮像できる。また、赤外光成分の感度がよいことによって、その際に使用する赤外光成分のＳ／Ｎが良好であり、補正演算によるＳ／Ｎ低下を引き起こすこともない。また、高感度化により高速シャッタが可能となり、手ブレや被写体ブレが少なくなる。
【０２５１】
また、必ずしも可視光に限らず、赤外光も同時に検出してイメージ化できる。これによって眼で見ることができる可視光のイメージ像と対応して、眼で見ることのできない赤外光の像情報を同時に受けることができる。これによって新しい情報システムへのキーデバイスとして応用が広がる。
【符号の説明】
【０２５２】
１…誘電体積層膜、１０１…ＣＣＤ固体撮像素子、１２…画素、１４…色フィルタ、２０…Ｎ型半導体基板、２２…干渉膜、２４…開口部、３００…撮像装置、３０２…撮影レンズ、３０４…光学ローパスフィルタ、３１０…撮像部（固体撮像装置）、３２０…駆動部、３３０…撮像信号処理部、３３６…画素信号補正処理部、３４０…画像信号処理部、
３４１…高感度化補正処理部、３４２…赤外光抑制補正処理部、３４４…輝度信号処理部、３４６…色信号処理部、３４８…赤外信号処理部
【図１】
0005299002.tif 000006
【図２】
0005299002.tif 000007
【図３】
0005299002.tif 000008
【図４】
0005299002.tif 000009
【図５】
0005299002.tif 000010
【図６】
0005299002.tif 000011
【図７】
0005299002.tif 000012
【図８】
0005299002.tif 000013
【図９】
0005299002.tif 000014
【図１０】
0005299002.tif 000015
【図１１】
0005299002.tif 000016
【図１２】
0005299002.tif 000017
【図１３】
0005299002.tif 000018
【図１４】
0005299002.tif 000019